(57)【要約】  系統連系インバータ装置３は、太陽電池ストリング１のそれぞれから出力される電力が入力される昇圧コンバータ回路４、昇圧コンバータ回路４のそれぞれから出力される直流電圧を交流電圧へ変換するインバータ回路５、太陽電池ストリング１ごとに太陽電池ストリング１の出力電圧である電源電圧を検出する電圧検出器１３、太陽電池ストリング１ごとに太陽電池ストリング１の出力電流である電源電流を検出する電流検出器１２、商用電力系統２がインバータ回路５に印加する系統電圧を検出する電圧検出器１５、並びに、電源電圧、電源電流及び系統電圧を用いて昇圧コンバータ回路４の昇圧動作の停止を許可するか禁止するかを判定する制御器１６を備える。
2018087813.tif 000002
【特許請求の範囲】
【請求項１】
商用電力系統に連系可能に構成される系統連系インバータ装置であって、
複数の直流電源のそれぞれから出力される電力が入力される複数のコンバータ回路と、
複数の前記コンバータ回路のそれぞれから出力される直流電圧を交流電圧へ変換するインバータ回路と、
複数の前記直流電源ごとに前記直流電源の出力電圧である電源電圧を検出する第１の電圧検出器と、
複数の前記直流電源ごとに前記直流電源の出力電流である電源電流を検出する電流検出器と、
前記商用電力系統が前記インバータ回路に印加する系統電圧を検出する第２の電圧検出器と、
前記電源電圧と、前記電源電流と、前記系統電圧とを用いて複数の前記コンバータ回路の昇圧動作の停止を許可するか禁止するかを判定する制御器と、
を備えたことを特徴とする系統連系インバータ装置。
【請求項２】
前記直流電源は、太陽電池電源であることを特徴とする請求項１に記載の系統連系インバータ装置。
【請求項３】
前記電源電流の検出値と前記電源電圧の検出値とに基づき、前記コンバータ回路に入力される電力値を演算する電力演算器を備え、
前記制御器は、前記電源電圧の検出値と、前記電力演算器が演算した電力値とに基づき、前記太陽電池電源の動作点が最大電力点か否かを判定し、
前記太陽電池電源が最大電力点で動作しているか否かの判定結果に基づいて、昇圧動作の停止が許可された前記コンバータ回路を昇圧動作モードで動作させるか、バイパス動作モードで動作させるかを決定する
ことを特徴とする請求項２に記載の系統連系インバータ装置。
【請求項４】
全ての前記コンバータ回路における昇圧動作の停止が禁止された場合、
前記制御器は、全ての前記コンバータ回路を昇圧動作モードで動作させる
ことを特徴とする請求項３に記載の系統連系インバータ装置。
【請求項５】
昇圧動作の停止が許可された前記コンバータ回路が単数である場合、
前記制御器は、昇圧動作の停止が許可された前記コンバータ回路をバイパス動作モードで動作させる
ことを特徴とする請求項３に記載の系統連系インバータ装置。
【請求項６】
昇圧動作の停止が許可された前記コンバータ回路が複数あり、昇圧動作の停止が許可された前記コンバータ回路に接続される前記太陽電池電源の全てが最大電力点では動作していない場合、
前記制御器は、前記電源電圧の検出値が一番大きいコンバータ回路をバイパス動作モードで動作させ、他のコンバータ回路を昇圧動作モードで動作させる
ことを特徴とする請求項３に記載の系統連系インバータ装置。
【請求項７】
昇圧動作の停止が許可された前記コンバータ回路が複数あり、昇圧動作の停止が許可された前記コンバータ回路に接続される前記太陽電池電源うちの少なくとも１つが最大電力点で動作している場合、
前記制御器は、最大電力点で動作している前記コンバータ回路をバイパス動作モードで動作させる
ことを特徴とする請求項３に記載の系統連系インバータ装置。
【請求項８】
前記電源電流の検出値と前記電源電圧の検出値とに基づき、前記コンバータ回路に入力される電力値を演算する電力演算器を備え、
前記制御器は、前記電源電圧の検出値と、前記電力演算器が演算した電力値とに基づき、前記太陽電池電源の動作点における電力変化率を演算し、
前記電力変化率の極性に基づいて、昇圧動作の停止が許可された前記コンバータ回路を昇圧動作モードで動作させるか、バイパス動作モードで動作させるかを決定する
ことを特徴とする請求項２に記載の系統連系インバータ装置。
【請求項９】
全ての前記コンバータ回路における昇圧動作の停止が禁止された場合、
前記制御器は、全ての前記コンバータ回路を昇圧動作モードで動作させる
ことを特徴とする請求項８に記載の系統連系インバータ装置。
【請求項１０】
昇圧動作の停止が許可された前記コンバータ回路が単数である場合、
前記制御器は、昇圧動作の停止が許可された前記コンバータ回路をバイパス動作モードで動作させる
ことを特徴とする請求項８に記載の系統連系インバータ装置。
【請求項１１】
昇圧動作の停止が許可された前記コンバータ回路が複数あり、昇圧動作の停止が許可された前記コンバータ回路に接続される前記太陽電池電源の動作点における前記電力変化率の極性が全て同極性である場合、
前記制御器は、昇圧動作の停止が許可された前記コンバータ回路をバイパス動作モードで動作させる
ことを特徴とする請求項８に記載の系統連系インバータ装置。
【請求項１２】
昇圧動作の停止が許可された前記コンバータ回路が複数あり、昇圧動作の停止が許可された前記コンバータ回路に接続される前記太陽電池電源の動作点における前記電力変化率の極性に異極性が含まれる場合、
前記制御器は、前記電力変化率が負であるコンバータ回路をバイパス動作モードで動作させ、前記電力変化率が正であるコンバータ回路を昇圧動作モードで動作させる
ことを特徴とする請求項８に記載の系統連系インバータ装置。
【請求項１３】
前記コンバータ回路は、昇圧コンバータ回路、又は昇降圧コンバータ回路である
ことを特徴とする請求項１から１２の何れか１項に記載の系統連系インバータ装置。
【発明の詳細な説明】
【技術分野】
【０００１】
本発明は、商用電力系統と連系可能に構成される系統連系インバータ装置に関する。
【背景技術】
【０００２】
系統連系インバータ装置は、太陽電池ストリングが発電する直流電力を昇降圧する昇降圧コンバータ、及び昇降圧コンバータが出力する直流電力を交流電力へ変換して商用電力系統に出力するインバータ回路を備える。下記特許文献１に記載された系統連系インバータ装置では、系統電圧とインバータ出力電流とに基づいて昇圧動作時の目標電圧を設定すると共に、降圧動作開始電圧を目標電圧よりも高い電圧に設定し、昇降圧コンバータの運転状態を、太陽電池出力電圧に応じて、昇圧動作モード、バイパス動作モード及び降圧動作モードのうちの何れかに切り替える制御を行っている。【０００３】
また、特許文献１では、昇降圧コンバータであるコンバータ回路は、インバータ回路を正常に動作させるため、出力電圧が（√２×系統電圧＋３５）［Ｖ］となるように制御している。
【先行技術文献】
【特許文献】
【０００４】
【特許文献１】特許第５３４９６８８号公報
【発明の概要】
【発明が解決しようとする課題】
【０００５】
しかしながら、特許文献１において想定される太陽電池ストリングの数は１である。太陽電池ストリングの数が複数の場合、以下に説明する課題が想起される。なお、説明の前提として、太陽電池のストリングの数は３とし、系統電圧は２００［Ｖ］とする。このとき、コンバータ回路の出力電圧として設定される昇圧動作時の出力電圧目標値は、√２×２００＋３５＝３１７．８［Ｖ］となる。【０００６】
まず、第１の太陽電池ストリングの出力電圧が３３０［Ｖ］、第２の太陽電池ストリングの出力電圧が３１０［Ｖ］、第３の太陽電池ストリングの出力電圧が２８０［Ｖ］である場合を想定する。この場合、第１の太陽電池ストリングの出力電圧は、出力電圧目標値より大きいため、第１の太陽電池ストリングに接続される第１のコンバータ回路はバイパス動作モードとなる。一方、第２及び第３の太陽電池ストリングの各出力電圧は、出力電圧目標値より低いため、第２及び第３の太陽電池ストリングのそれぞれに接続される第２及び第３のコンバータ回路は昇圧動作モードとなる。第１から第３のコンバータ回路は、指定された動作モードで動作することで、太陽電池ストリングごとに最大電力点を追従する制御を行う。【０００７】
次に、第１の太陽電池ストリングの出力電圧が３４０［Ｖ］、第２の太陽電池ストリングの出力電圧が３３０［Ｖ］、第３の太陽電池ストリングの出力電圧が３２０［Ｖ］である場合を想定する。この場合、各太陽電池ストリングの出力電圧は、出力電圧目標値より大きい。このため、特許文献１の手法を適用すると、第１から第３のコンバータ回路、すなわち全てのコンバータ回路は、バイパス動作モードでの動作となる。ところが、全てのコンバータ回路がバイパス動作モードで動作すると、各太陽電池ストリングの最大電力点を個別に制御することができない。このため、入力電圧が一番大きい第１の太陽電池ストリングが接続される第１のコンバータ回路をバイパス動作モードで動作させ、第２及び第３の太陽電池ストリングが接続される第１及び第２のコンバータ回路を昇圧動作モードで動作させるというように、制御手法の修正が必要とされる。【０００８】
上記の通り、各太陽電池ストリングの出力電圧が比較的大きな値でばらつく場合であれば、制御手法の軽微な修正で対応可能である。【０００９】
次に、太陽電池ストリングを構成する太陽電池の直列枚数が全て同じ場合を考える。この場合、各太陽電池ストリングへの日射条件が同等であれば、各コンバータ回路への入力電圧は同じとなる。このため、各コンバータ回路は、バイパス動作モードで動作可能である。しかしながら、太陽電池の直列枚数が全て同じ場合でも、角度及び方位といった設置条件の寸分違わぬ施工は困難であり、複数の太陽電池ストリングの設置環境を同一とすることは困難である。その結果、各コンバータ回路のへの入力電圧は、コンバータ回路ごとにコンマ数Ｖ程度の差異が生ずる。本来、接続枚数が同一であれば、全てのコンバータ回路をバイパス動作モードで動作させた方が、コンバータ回路でのスイッチング損失が発生しないため、変換効率は高くなる。しかしながら、特許文献１の手法では、種々の動作条件に応じて動作モードの修正が必要であり、複数のコンバータ回路をバイパス動作モードで動作させることはできない。このため、特許文献１の手法では、コンバータ回路の変換効率が低下する場合があるという課題があった。【００１０】
本発明は、上記に鑑みてなされたものであって、複数のコンバータ回路をバイパス動作モードで動作させる制御を可能とし、コンバータ回路の変換効率の更なる改善を可能とする系統連系インバータ装置を得ることを目的とする。
【課題を解決するための手段】
【００１１】
上述した課題を解決し、目的を達成するために、本発明は、商用電力系統に連系可能に構成される系統連系インバータ装置であって、複数の直流電源のそれぞれから出力される電力が入力される複数のコンバータ回路、複数のコンバータ回路のそれぞれから出力される直流電圧を交流電圧へ変換するインバータ回路、複数の直流電源ごとに直流電源の出力電圧である電源電圧を検出する第１の電圧検出器、複数の直流電源ごとに直流電源の出力電流である電源電流を検出する電流検出器、商用電力系統がインバータ回路に印加する系統電圧を検出する第２の電圧検出器、並びに、電源電圧、電源電流及び系統電圧を用いて複数のコンバータ回路の昇圧動作の停止を許可するか禁止するかを判定する制御器を備える。
【発明の効果】
【００１２】
本発明によれば、複数のコンバータ回路をバイパス動作モードで動作させる制御を通じて、コンバータ回路の変換効率の更なる改善が可能になる、という効果を奏する。
【図面の簡単な説明】
【００１３】
【図１】実施の形態１に係る系統連系インバータ装置を含む太陽光発電システムを示す構成図
【図２】実施の形態１における制御器の構成の詳細図
【図３】実施の形態１における昇圧コンバータ回路の動作条件と動作モードとの組み合わせを示す図
【図４】実施の形態１における制御器の動作説明に供するフローチャート
【図５】実施の形態２における制御器の構成の詳細図
【図６】実施の形態２における昇圧コンバータ回路における動作条件と動作モードとの組み合わせを示す図
【図７】太陽電池ストリングの特性と電力変化率との関係を示す図
【図８】実施の形態２における制御器の動作説明に供するフローチャート
【発明を実施するための形態】
【００１４】
以下に、本発明の実施の形態に係る系統連系インバータ装置を図面に基づいて詳細に説明する。なお、以下の実施の形態により、本発明が限定されるものではない。
【００１５】
実施の形態１．
図１は、実施の形態１に係る系統連系インバータ装置を含む太陽光発電システムを示す構成図である。太陽光発電システム１００は、図１に示すように、複数の直流電源である太陽電池ストリング１ａ，１ｂ，１ｃと、複数の太陽電池ストリング１ａ，１ｂ，１ｃが接続される系統連系インバータ装置３と、を備える。以下では、複数の太陽電池ストリング１ａ，１ｂ，１ｃの総称又は何れか１つを「太陽電池ストリング１」と表記する場合がある。複数の太陽電池ストリング１のそれぞれは、不図示の複数の太陽電池セルが直列に接続された構成の太陽電池電源であり、日射量に応じた直流電力を発生する。
【００１６】
系統連系インバータ装置３は、複数の太陽電池ストリング１ａ，１ｂ，１ｃのそれぞれから出力される電力が入力される複数の昇圧コンバータ回路４ａ，４ｂ，４ｃと、複数の昇圧コンバータ回路４ａ，４ｂ，４ｃのそれぞれから出力される直流電圧を交流電圧へ変換するインバータ回路５と、複数の昇圧コンバータ回路４ａ，４ｂ，４ｃのそれぞれを制御する制御器１６と、を備える。
【００１７】
制御器１６は、複数の昇圧コンバータ回路４ａ，４ｂ，４ｃのそれぞれを制御するためのゲートパルス指令Ｇｓａ，Ｇｓｂ，Ｇｓｃを生成し、複数のゲートパルス発生器１８ａ，１８ｂ，１８ｃのそれぞれに対して出力する。以下では、複数の昇圧コンバータ回路４ａ，４ｂ，４ｃの総称又は何れか１つを「昇圧コンバータ回路４」と表記する場合がある。また、複数のゲートパルス発生器１８ａ，１８ｂ，１８ｃの総称又は何れか１つを「ゲートパルス発生器１８」と表記する場合がある。
【００１８】
系統連系インバータ装置３は、複数の正極入力端子１０１ａ，１０１ｂ，１０１ｃと、複数の負極入力端子１０２ａ，１０２ｂ，１０２ｃと、系統入出力端子１０３，１０４とを備える。
【００１９】
正極入力端子１０１ａには、太陽電池ストリング１ａの正極出力端が接続され、負極入力端子１０２ａには、太陽電池ストリング１ａの負極出力端が接続される。以下同様に、正極入力端子１０１ｂ，１０１ｃのそれぞれには、太陽電池ストリング１ｂ，１ｃの正極出力端が接続される。負極入力端子１０２ｂ，１０２ｃのそれぞれには、太陽電池ストリング１ｂ，１ｃの負極出力端が接続される。
【００２０】
系統入出力端子１０３，１０４には、商用電力系統２に繋がる２つの系統接続線４１，４２がそれぞれ接続される。
【００２１】
また、系統連系インバータ装置３は、複数の平滑用コンデンサ７ａ，７ｂ，７ｃと、複数の昇圧コンバータ回路４と、平滑用コンデンサ８と、インバータ回路５と、出力リレー６とを備える。
【００２２】
平滑用コンデンサ７ａは、太陽電池ストリング１ａから出力されて昇圧コンバータ回路４ａに印加される直流電圧を平滑する。平滑用コンデンサ７ａの一端は、正極側の直流母線Ｐを介して、正極入力端子１０１ａと昇圧コンバータ回路４ａの正極入力端とに接続される。平滑用コンデンサ７ａの他端は、負極側の直流母線Ｎを介して、負極入力端子１０２ａと昇圧コンバータ回路４ａの負極入力端とに接続される。
【００２３】
昇圧コンバータ回路４ａは、リアクトル９ａ、スイッチング素子１０ａ及びダイオード１１ａを有する。
【００２４】
リアクトル９ａの一端は、昇圧コンバータ回路４ａの正極入力端である。リアクトル９ａの一端は、正極入力端子１０１ａと平滑用コンデンサ７ａの一端とに接続される。リアクトル９ａの他端は、ダイオード１１ａのアノードと、スイッチング素子１０ａのコレクタとに接続される。
【００２５】
ダイオード１１ａのカソードは、昇圧コンバータ回路４ａの正極出力端である。ダイオード１１ａのカソードは、平滑用コンデンサ８の一端とインバータ回路５の正極入力端とに接続される。
【００２６】
スイッチング素子１０ａのエミッタは、平滑用コンデンサ７ａの他端と平滑用コンデンサ８の他端とに接続される。スイッチング素子１０ａのゲートには、ゲートパルス発生器１８ａから出力されるゲートパルス信号１８ａ１が入力される。ゲートパルス信号１８ａ１は、太陽電池ストリング１ａから出力された電圧を、インバータ回路５が交流電圧を生成するために必要な電圧に昇圧する信号である。
【００２７】
ゲートパルス発生器１８ａは、制御器１６から出力されるゲートパルス指令Ｇｓａに基づき、ゲートパルス信号１８ａ１をスイッチング素子１０ａに出力する。ゲートパルス発生器１８ａにおける動作の詳細は、後述する。
【００２８】
平滑用コンデンサ７ｂは、太陽電池ストリング１ｂから出力されて昇圧コンバータ回路４ｂに印加される直流電圧を平滑する。平滑用コンデンサ７ｂの一端は、正極側の直流母線Ｐを介して、正極入力端子１０１ｂと昇圧コンバータ回路４ｂの正極入力端とに接続される。平滑用コンデンサ７ｂの他端は、負極側の直流母線Ｎを介して、負極入力端子１０２ｂと昇圧コンバータ回路４ｂの負極入力端とに接続される。
【００２９】
昇圧コンバータ回路４ｂは、リアクトル９ｂ、スイッチング素子１０ｂ及びダイオード１１ｂを有する。
【００３０】
リアクトル９ｂの一端は、昇圧コンバータ回路４ｂの正極入力端である。リアクトル９ｂの一端は、正極入力端子１０１ｂと平滑用コンデンサ７ｂの一端とに接続される。リアクトル９ｂの他端は、ダイオード１１ｂのアノードと、スイッチング素子１０ｂのコレクタとに接続される。
【００３１】
ダイオード１１ｂのカソードは、昇圧コンバータ回路４ｂの正極出力端である。ダイオード１１ｂのカソードは、平滑用コンデンサ８の一端とインバータ回路５の正極入力端とに接続される。
【００３２】
スイッチング素子１０ｂのエミッタは、平滑用コンデンサ７ｂの他端と平滑用コンデンサ８の他端とに接続される。スイッチング素子１０ｂのゲートには、ゲートパルス発生器１８ｂから出力されるゲートパルス信号１８ｂ１が入力される。ゲートパルス信号１８ｂ１は、太陽電池ストリング１ｂから出力された電圧を、インバータ回路５が交流電圧を生成するために必要な電圧に昇圧する信号である。
【００３３】
ゲートパルス発生器１８ｂは、制御器１６から出力されるゲートパルス指令Ｇｓｂに基づき、ゲートパルス信号１８ｂ１をスイッチング素子１０ｂに出力する。ゲートパルス発生器１８ｂにおける動作の詳細は、後述する。
【００３４】
平滑用コンデンサ７ｃは、太陽電池ストリング１ｃから出力されて昇圧コンバータ回路４ｃに入力される直流電圧を平滑する。平滑用コンデンサ７ｃの一端は、正極側の直流母線Ｐを介して、正極入力端子１０１ｃと昇圧コンバータ回路４ｃの正極入力端とに接続される。平滑用コンデンサ７ｃの他端は、負極側の直流母線Ｎを介して、負極入力端子１０２ｃと昇圧コンバータ回路４ｃの負極入力端とに接続される。
【００３５】
昇圧コンバータ回路４ｃは、リアクトル９ｃ、スイッチング素子１０ｃ及びダイオード１１ｃを有する。
【００３６】
リアクトル９ｃの一端は、昇圧コンバータ回路４ｃの正極入力端である。リアクトル９ｃの一端は、正極入力端子１０１ｃと平滑用コンデンサ７ｃの一端とに接続される。リアクトル９ｃの他端は、ダイオード１１ｃのアノードと、スイッチング素子１０ｃのコレクタとに接続される。
【００３７】
ダイオード１１ｃのカソードは、昇圧コンバータ回路４ｃの正極出力端である。ダイオード１１ｃのカソードは、平滑用コンデンサ８の一端とインバータ回路５の正極入力端とに接続される。
【００３８】
スイッチング素子１０ｃのエミッタは、平滑用コンデンサ７ｃの他端と平滑用コンデンサ８の他端とに接続される。スイッチング素子１０ｃのゲートには、ゲートパルス発生器１８ｃから出力されるゲートパルス信号１８ｃ１が入力される。ゲートパルス信号１８ｃ１は、太陽電池ストリング１ｃから出力された電圧を、インバータ回路５が交流電圧を生成するために必要な電圧に昇圧する信号である。
【００３９】
ゲートパルス発生器１８ｃは、制御器１６から出力されるゲートパルス指令Ｇｓｃに基づき、ゲートパルス信号１８ｃ１をスイッチング素子１０ｃに出力する。ゲートパルス発生器１８ｃにおける動作の詳細は、後述する。
【００４０】
平滑用コンデンサ８の一端は、複数のダイオード１１ａ，１１ｂ，１１ｃのそれぞれのカソードと、インバータ回路５の正極入力端とに接続される。平滑用コンデンサ８の他端は、複数のダイオード１１ａ，１１ｂ，１１ｃのそれぞれのアノードと、インバータ回路５の負極入力端とに接続される。平滑用コンデンサ８は、複数の昇圧コンバータ回路４のそれぞれから出力されてインバータ回路５に印加される直流電圧を平滑する。
【００４１】
インバータ回路５は、平滑用コンデンサ８に充電された直流電圧を交流電圧に変換する動作を行う。インバータ回路５の交流出力端は、出力リレー６を介して系統入出力端子１０３，１０４に接続される。
【００４２】
出力リレー６は、インバータ回路５と、２つの系統入出力端子１０３，１０４との間に配置される。出力リレー６は、インバータ回路５と商用電力系統２との接続路を開閉する機能を有する。
【００４３】
系統連系インバータ装置３は、複数の電流検出器１２ａ，１２ｂ，１２ｃと、複数の電圧検出器１３ａ，１３ｂ，１３ｃ，１５と、複数の電力演算器１４ａ，１４ｂ，１４ｃと、を備える。系統連系インバータ装置３において、電圧検出器１３ａ，１３ｂ，１３ｃのそれぞれは第１の電流検出器を構成し、電圧検出器１５は第２の電圧検出器を構成する。
【００４４】
負極入力端子１０２ａと昇圧コンバータ回路４ａとの間の負極側の直流母線Ｎには、電流検出素子３２ａが配置される。電流検出素子３２ａは、当該位置における電流値を検出する。電流検出素子３２ａには、カレントトランス又はシャント抵抗が用いられる。
【００４５】
電流検出器１２ａは、増幅器又はレベルシフト回路で実現される。電流検出器１２ａは、太陽電池ストリング１ａの出力電流すなわち電源電流を検出する。電流検出器１２ａは、電流検出素子３２ａで検出された電流に正比例した電圧を、電力演算器１４ａが取り扱い可能な低圧範囲内の電流検出電圧に変換する。この電流検出電圧は、太陽電池ストリング１ａの出力電流の電流値Ｉｓａに相当する。電流検出器１２ａが検出した電流値Ｉｓａは、電力演算器１４ａに出力される。
【００４６】
電圧検出器１３ａの一端は、正極側の直流母線Ｐにおいて、正極入力端子１０１ａとリアクトル９ａの一端と平滑用コンデンサ７ａの一端とに接続される。電圧検出器１３ａの他端は、負極側の直流母線Ｎにおいて、負極入力端子１０２ａと平滑用コンデンサ７ａの他端とに接続される。
【００４７】
電圧検出器１３ａは、太陽電池ストリング１ａの出力電圧すなわち電源電圧を検出する。電圧検出器１３ａが検出した電圧値をＶｓａとする。電圧検出器１３ａが検出した電圧値Ｖｓａは、制御器１６と、電力演算器１４ａとに出力される。
【００４８】
電力演算器１４ａは、電流検出器１２ａから出力された電流値Ｉｓａ及び電圧検出器１３ａから出力された電圧値Ｖｓａを受領する。電力演算器１４ａは、電流値Ｉｓａ及び電圧値Ｖｓａに基づき、昇圧コンバータ回路４ａに入力される電力値Ｐｓａを演算する。電力値Ｐｓａは、Ｐｓａ＝Ｉｓａ×Ｖｓａの演算式で演算することができるが、他の方法で演算してもよい。演算された電力値Ｐｓａは、制御器１６に出力される。
【００４９】
負極入力端子１０２ｂと昇圧コンバータ回路４ｂとの間の負極側の直流母線Ｎには、電流検出素子３２ｂが配置される。電流検出素子３２ｂは、当該位置における電流値を検出する。電流検出素子３２ｂには、カレントトランス又はシャント抵抗が用いられる。
【００５０】
電流検出器１２ｂは、増幅器またはレベルシフト回路で実現される。電流検出器１２ｂは、太陽電池ストリング１ｂの出力電流すなわち電源電流を検出する。電流検出器１２ｂは、電流検出素子３２ｂで検出された電流に正比例した電圧を、電力演算器１４ｂが取り扱い可能な低圧範囲内の電流検出電圧に変換する。この電流検出電圧は、太陽電池ストリング１ｂの出力電流の電流値Ｉｓｂに相当する。電流検出器１２ｂが検出した電流値Ｉｓｂは、電力演算器１４ｂに出力される。
【００５１】
電圧検出器１３ｂの一端は、正極側の直流母線Ｐにおいて、正極入力端子１０１ｂとリアクトル９ｂの一端と平滑用コンデンサ７ｂの一端とに接続される。電圧検出器１３ｂの他端は、負極側の直流母線Ｎにおいて、負極入力端子１０２ｂと平滑用コンデンサ７ｂの他端とに接続される。
【００５２】
電圧検出器１３ｂは、太陽電池ストリング１ｂの出力電圧値すなわち電源電圧を検出する。電圧検出器１３ｂが検出した電圧値をＶｓｂとする。電圧検出器１３ｂが検出した電圧値Ｖｓｂは、制御器１６と、電力演算器１４ｂとに出力される。
【００５３】
電力演算器１４ｂは、電流検出器１２ｂから出力された電流値Ｉｓｂ及び電圧検出器１３ｂから出力された電圧値Ｖｓｂを受領する。電力演算器１４ｂは、電流値Ｉｓｂ及び電圧値Ｖｓｂに基づき、昇圧コンバータ回路４ｂに入力される電力値Ｐｓｂを演算する。電力値Ｐｓｂは、Ｐｓｂ＝Ｉｓｂ×Ｖｓｂの演算式で演算することができるが、他の方法で演算してもよい。演算された電力値Ｐｓｂは、制御器１６に出力される。
【００５４】
負極入力端子１０２ｃと昇圧コンバータ回路４ｃとの間の負極側の直流母線Ｎには、電流検出素子３２ｃが配置される。電流検出素子３２ｃは、当該位置における電流値を検出する。電流検出素子３２ｃには、カレントトランス又はシャント抵抗が用いられる。
【００５５】
電流検出器１２ｃは、増幅器又はレベルシフト回路で実現される。電流検出器１２ｃは、太陽電池ストリング１ｃの出力電流すなわち電源電流を検出する。電流検出器１２ｃは、電流検出素子３２ｃで検出された電流に正比例した電圧を、電力演算器１４ｃが取り扱い可能な低圧範囲内の電流検出電圧に変換する。この電流検出電圧は、太陽電池ストリング１ｃの出力電流の電流値Ｉｓｃに相当する。電流検出器１２ｃが検出した電流値Ｉｓｃは、電力演算器１４ｃに出力される。
【００５６】
電圧検出器１３ｃの一端は、正極側の直流母線Ｐにおいて、正極入力端子１０１ｃとリアクトル９ｃの一端と平滑用コンデンサ７ｃの一端とに接続される。電圧検出器１３ｃの他端は、負極側の直流母線Ｎにおいて、負極入力端子１０２ｃと平滑用コンデンサ７ｃの他端とに接続される。
【００５７】
電圧検出器１３ｃは、太陽電池ストリング１ｃの出力電圧値すなわち電源電圧を検出する。電圧検出器１３ｃが検出した電圧値をＶｓｃとする。電圧検出器１３ｃが検出した電圧値Ｖｓｃは、制御器１６と、電力演算器１４ｃとに出力される。
【００５８】
電力演算器１４ｃは、電流検出器１２ｃから出力された電流値Ｉｓｃ及び電圧検出器１３ｃから出力された電圧値Ｖｓｃを受領する。電力演算器１４ｃは、電流値Ｉｓｃ及び電圧値Ｖｓｃに基づき、昇圧コンバータ回路４ｃに入力される電力値Ｐｓｃを演算する。電力値Ｐｓｃは、Ｐｓｃ＝Ｉｓｃ×Ｖｓｃの演算式で演算することができるが、他の方法で演算してもよい。演算された電力値Ｐｓａは、制御器１６に出力される。
【００５９】
電圧検出器１５の一端は、商用電力系統２のＵ側の系統接続線４１において、出力リレー６の一端とインバータ回路５の一端とに接続される。電圧検出器１５の他端は、商用電力系統のＷ側の系統接続線４２において、出力リレー６の他端とインバータ回路５の他端とに接続される。
【００６０】
電圧検出器１５は、商用電力系統２のＵ側とＷ側との間の電圧である電圧値Ｖｕｗを検出する。電圧値Ｖｕｗは、商用電力系統２が系統連系インバータ装置３に印加する系統電圧であり、インバータ回路５の出力電圧である。電圧検出器１５が検出した電圧値Ｖｕｗは、制御器１６に出力される。
【００６１】
制御器１６は、昇圧コンバータ回路４を駆動させるために用いられる。具体的には、昇圧コンバータの動作モードを判定し、複数の太陽電池ストリング１の動作点を最大電力点に追従させる最大電力追尾制御であるＭＰＰＴ（Ｍａｘｉｍｕｍ  Ｐｏｗｅｒ  Ｐｏｉｎｔ  Ｔｒａｃｋｉｎｇ）制御により決定されたゲートパルス指令を生成する。
【００６２】
なお、図１に示すスイッチング素子１０ａ，１０ｂ，１０ｃは、ＩＧＢＴ（Ｉｎｓｕｌａｔｅｄ  Ｇａｔｅ  Ｂｉｐｏｌａｒ  Ｔｒａｎｓｉｓｔｏｒ）であるが、ＩＧＢＴ以外のトランジスタでもよい。一例としては、ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。
【００６３】
また、系統連系インバータ装置３では、３つの昇圧コンバータ回路４ａ，４ｂ，４ｃが用いられているが、コンバータ回路数は２つ以上であればよい。また、実施の形態１では昇圧コンバータ回路４ａ，４ｂ，４ｃの一例を示すが、コンバータ回路の構成は図示例に限定されず、昇降圧コンバータ回路を含み、直流電圧を所望の直流電圧値に変換する電力変換回路であれば、他の電力変換回路でもよい。
【００６４】
また、図１では３つの太陽電池ストリング１ａ，１ｂ，１ｃが系統連系インバータ装置３に接続されているが、太陽電池ストリングの接続数は図示例に限定されるものではなく、２つ以上あればよい。昇圧コンバータ回路４は、太陽電池ストリングに対応して設けられる。
【００６５】
次に、制御器１６の構成を具体的に説明する。
【００６６】
図２は、図１に示す制御器１６の構成の詳細図である。制御器１６は、出力電圧目標値設定器１７と、電圧比較器２０ａ，２０ｂ，２０ｃと、最大電力点判定器２１ａ，２１ｂ，２１ｃと、動作モード判定器２２Ａと、ゲートパルス指令生成器２３ａ，２３ｂ，２３ｃと、を備える。
【００６７】
出力電圧目標値設定器１７は、インバータ回路５の入力側電圧の制御目標値を設定する。この制御目標値は、昇圧コンバータ回路４の出力電圧の制御目標値でもある。出力電圧目標値設定器１７は、電圧検出器１５から出力される電圧値Ｖｕｗを入力とし、インバータ回路５の入力側電圧の制御目標値ＶiiＳを出力する。出力電圧目標値設定器１７は制御目標値ＶiiＳを、次式のように設定する。
【００６８】
ＶiiＳ＝√２×Ｖｕｗ＋α    …（１）
【００６９】
具体的に、系統電圧が２００Ｖの場合、制御目標値ＶiiＳは、√２×２００＋３５＝３１７．８［Ｖ］となる。
【００７０】
上記（１）式における“α”は、ここでは先行事例である特許文献１に記載された、３５［Ｖ］を採用するが、インバータ回路５が系統電圧を出力するために十分な電圧であれば、この限りではない。
【００７１】
なお、上記の説明では、出力電圧目標値設定器１７における出力電圧の目標値は、電圧検出器１５にて検出される商用電力系統２のＵＷ間の電圧である電圧値Ｖｕｗを用いていたが、これには限定されない。検出値である電圧値Ｖｕｗに代えて、任意の固定値を、外部から出力電圧目標値設定器１７に直接設定できるようにしてもよい。固定値の具体例は、３８０［Ｖ］である。系統電圧は、電気事業法により２０２±２０［Ｖ］の範囲に定められている。この範囲の電圧変動に対して、インバータ回路５の入力電圧が影響を受けないように、上記（１）式による算出値と、必要なマージンとを考慮すると、３８０［Ｖ］が好ましい設定値になる。
【００７２】
上記のように構成することにより、系統電圧の変動時に、インバータ回路５の入力側電圧が昇圧コンバータ回路４の出力電圧目標値より低下することを防止できる。また、インバータ回路５の入力側電圧が昇圧コンバータ回路４の出力電圧目標値より低下することを防止できるので、インバータ回路５の出力電流が歪むことを防止できる。
【００７３】
また、昇圧コンバータ回路４の出力電圧目標値の設定値を系統電圧に対して可変とすることにより、昇圧コンバータ回路４の昇圧比を最適に制御することが可能となり、昇圧コンバータ回路４の変換効率が向上する。一般的に、昇圧コンバータ回路４の昇圧比が大きくなると、変換効率が低下する。よって、昇圧コンバータ回路４の出力電圧目標値を系統電圧に対して可変とすれば、固定値としたときよりも昇圧比を低くすることができるので、変換効率を向上することができる。
【００７４】
電圧比較器２０ａは、電圧検出器１３ａから出力された太陽電池ストリング１ａの電圧値Ｖｓａと、出力電圧目標値設定器１７から出力されたインバータ回路５の制御目標値ＶiiＳとに基づき、動作モード判定器２２Ａへ昇圧動作停止許可信号Ｃｓａを出力する。電圧比較器２０ａは、太陽電池ストリング１ａの電圧値Ｖｓａとインバータ回路５の制御目標値ＶiiＳとを比較し、以下のような昇圧動作停止の許可及び禁止を判定する。
【００７５】
Ｖｓａ≧ＶiiＳならば、昇圧動作の停止を許可する。
Ｖｓａ＜ＶiiＳならば、昇圧動作の停止を禁止する。
【００７６】
なお、上記の比較における等号はどちらに含めてもよい。すなわち、上記とは逆に、Ｖｓａ＞ＶiiＳならば昇圧動作停止を許可し、Ｖｓａ≦ＶiiＳならば、昇圧動作停止を禁止としてもよい。
【００７７】
電圧比較器２０ｂは、電圧検出器１３ｂから出力された太陽電池ストリング１ｂの電圧値Ｖｓｂと、出力電圧目標値設定器１７から出力されたインバータ回路５の制御目標値ＶiiＳとに基づき、動作モード判定器２２Ａへ昇圧動作停止許可信号Ｃｓｂを出力する。電圧比較器２０ｂは太陽電池ストリング１ｂの電圧値Ｖｓｂとインバータ回路５の制御目標値ＶiiＳとを比較し、以下のような昇圧動作停止の許可及び禁止を判定する。
【００７８】
Ｖｓｂ≧ＶiiＳならば、昇圧動作の停止を許可する。
Ｖｓｂ＜ＶiiＳならば、昇圧動作の停止を禁止する。
【００７９】
なお、上記の比較における等号はどちらに含めてもよい。すなわち、上記とは逆に、Ｖｓｂ＞ＶiiＳならば昇圧動作停止を許可し、Ｖｓｂ≦ＶiiＳならば、昇圧動作停止を禁止としてもよい。
【００８０】
電圧比較器２０ｃは電圧検出器１３ｃから出力された太陽電池ストリング１ｃの電圧値Ｖｓｃと、出力電圧目標値設定器１７から出力されたインバータ回路５の制御目標値ＶiiＳとに基づき、動作モード判定器２２Ａへ昇圧動作停止許可信号Ｃｓｃを出力する。電圧比較器２０ｃは太陽電池ストリング１ｃの電圧値Ｖｓｃとインバータ回路５の制御目標値ＶiiＳとを比較し、以下のような昇圧動作停止の許可及び禁止を判定する。
【００８１】
Ｖｓｃ≧ＶiiＳならば、昇圧動作の停止を許可する。
Ｖｓｃ＜ＶiiＳならば、昇圧動作の停止を禁止する。
【００８２】
なお、上記の比較における等号はどちらに含めてもよい。すなわち、上記とは逆に、Ｖｓｃ＞ＶiiＳならば昇圧動作停止を許可し、Ｖｓｃ≦ＶiiＳならば、昇圧動作停止を禁止としてもよい。
【００８３】
最大電力点判定器２１ａは、電圧検出器１３ａから出力された太陽電池ストリング１ａの電圧値Ｖｓａと電力演算器１４ａが演算した電力値Ｐｓａとに基づき、太陽電池ストリング１ａの動作点が最大電力点か否かを判定する。最大電力点判定器２１ａは、判定した結果を最大電力点信号Ｍｓａとして動作モード判定器２２Ａへ出力する。ここで、動作点が、最大電力点か否かの判定は次式により行う。
【００８４】
最大電力点の判定式：
−１．０［Ｗ／Ｖ］≦ΔＰｓａ／ΔＶｓａ≦１．０［Ｗ／Ｖ］  …（２）
【００８５】
上記（２）式において、ΔＰｓａ／ΔＶｓａは、太陽電池ストリング１ａの電圧値Ｖｓａが変化したときに、昇圧コンバータ回路４ａに入力される電力値Ｐｓａがどの程度変化するかを表す指標である。以下、ΔＰｓａ／ΔＶｓａを、「電圧変化に対する電力変化の割合」若しくは「電力変化率」と呼ぶ。なお、上記の定義は、太陽電池ストリング１ｂ，１ｃについても同様に適用する。すなわち、太陽電池ストリング１ｂ，１ｃにおいて同様に表すことができるΔＰｓｂ／ΔＶｓｂ，ΔＰｓｃ／ΔＶｓｃも、「電圧変化に対する電力変化の割合」若しくは「電力変化率」と呼ぶ。
【００８６】
最大電力点判定器２１ａは、上記（２）式が成立すれば、動作点が最大電力点であると判定し、上記（２）式が成立しなければ、動作点は最大電力点ではないと判定する。
【００８７】
なお、上記の比較における等号は、含めてもよいし、含めなくてもよい。すなわち、次式の何れかの判定式を用いてもよい。
−１．０［Ｗ／Ｖ］＜ΔＰｓａ／ΔＶｓａ≦１．０［Ｗ／Ｖ］
…（２−１）
−１．０［Ｗ／Ｖ］≦ΔＰｓａ／ΔＶｓａ＜１．０［Ｗ／Ｖ］
…（２−２）
−１．０［Ｗ／Ｖ］＜ΔＰｓａ／ΔＶｓａ＜１．０［Ｗ／Ｖ］
…（２−３）
【００８８】
太陽電池の特性上、最大電力点はΔＰｓａ／Ｖｓａ＝０となる。しかしながら、太陽電池ストリング１の動作点が最大電力点より外れても、太陽電池ストリング１の出力電力は大きく低下しない。具体的に、太陽電池ストリング１の動作点が最大電力点から１Ｖ外れても１Ｗ以下の電力低下である。また、昇圧コンバータ回路４が動作すると電圧変換によるロスが数Ｗ発生する。このため、昇圧コンバータ回路４を停止することにより、電圧変換によるロスを低減させることができる。よって、ロスの低減分と最大電力点からの電圧差による電力低下分とを考慮し、上記（２）式に示すような判定範囲としている。なお、昇圧コンバータ回路４及び太陽電池ストリング１の特性により、上記（２）式の範囲は任意に設定可能であり、上記（２）式の範囲に限定されるものではない。後述する（３）式、及び（４）式についても同様である。
【００８９】
最大電力点判定器２１ｂは、電圧検出器１３ｂから出力された太陽電池ストリング１ｂの電圧値Ｖｓｂと電力演算器１４ｂが演算した電力値Ｐｓｂとに基づき、太陽電池ストリング１ｂの動作点が最大電力点か否かを判定する。最大電力点判定器２１ｂは、判定した結果を最大電力点信号Ｍｓｂとして動作モード判定器２２Ａへ出力する。ここで、動作点が、最大電力点か否かの判定は次式により行う。
【００９０】
最大電力点の判定式：
−１．０［Ｗ／Ｖ］≦ΔＰｓｂ／ΔＶｓｂ≦１．０［Ｗ／Ｖ］  …（３）
【００９１】
最大電力点判定器２１ｂは、上記（３）式が成立すれば、動作点が最大電力点であると判定し、上記（３）式が成立しなければ、動作点は最大電力点ではないと判定する。
【００９２】
なお、上記の比較における等号は、含めてもよいし、含めなくてもよい。すなわち、次式の何れかの判定式を用いてもよい。
−１．０［Ｗ／Ｖ］＜ΔＰｓｂ／ΔＶｓｂ≦１．０［Ｗ／Ｖ］
…（３−１）
−１．０［Ｗ／Ｖ］≦ΔＰｓｂ／ΔＶｓｂ＜１．０［Ｗ／Ｖ］
…（３−２）
−１．０［Ｗ／Ｖ］＜ΔＰｓｂ／ΔＶｓｂ＜１．０［Ｗ／Ｖ］
…（３−３）
【００９３】
最大電力点判定器２１ｃは、電圧検出器１３ｃから出力された太陽電池ストリング１ｃの電圧値Ｖｓｃと電力演算器１４ｃが演算した電力値Ｐｓｃとに基づき、太陽電池ストリング１ｂの動作点が最大電力点か否かを判定する。最大電力点判定器２１ｃは、判定した結果を最大電力点信号Ｍｓｃとして動作モード判定器２２Ａへ出力する。ここで、動作点が、最大電力点か否かの判定は次式により行う。
【００９４】
最大電力点の判定式：
−１．０［Ｗ／Ｖ］≦ΔＰｓｃ／ΔＶｓｃ≦１．０［Ｗ／Ｖ］  …（４）
【００９５】
最大電力点判定器２１ｃは、上記（４）式が成立すれば、動作点が最大電力点であると判定し、上記（４）式が成立しなければ、動作点は最大電力点ではないと判定する。
【００９６】
なお、上記の比較における等号は、含めてもよいし、含めなくてもよい。すなわち、次式の何れかの判定式を用いてもよい。
−１．０［Ｗ／Ｖ］＜ΔＰｓｃ／ΔＶｓｃ≦１．０［Ｗ／Ｖ］
…（４−１）
−１．０［Ｗ／Ｖ］≦ΔＰｓｃ／ΔＶｓｃ＜１．０［Ｗ／Ｖ］
…（４−２）
−１．０［Ｗ／Ｖ］＜ΔＰｓｃ／ΔＶｓｃ＜１．０［Ｗ／Ｖ］
…（４−３）
【００９７】
動作モード判定器２２Ａは、電圧比較器２０ａ，２０ｂ，２０ｃのそれぞれから出力された昇圧動作停止許可信号Ｃｓａ，Ｃｓｂ，Ｃｓｃと、最大電力点判定器２１ａ，２１ｂ，２１ｃのそれぞれから出力された最大電力点信号Ｍｓａ，Ｍｓｂ，Ｍｓｃと、に基づき、ゲートパルス指令生成器２３ａ，２３ｂ，２３ｃのそれぞれへ動作モード指令Ｑｓａ，Ｑｓｂ，Ｑｓｃを出力する。
【００９８】
また、動作モード判定器２２Ａは、電圧比較器２０ａ，２０ｂ，２０ｃから出力された昇圧動作停止許可信号Ｃｓａ，Ｃｓｂ，Ｃｓｃと、最大電力点判定器２１ａ，２１ｂ，２１ｃから出力された最大電力点信号Ｍｓａ，Ｍｓｂ，Ｍｓｃと、に基づいて昇圧コンバータ回路４ａ，４ｂ，４ｃの動作モードを決定する。
【００９９】
図３は、昇圧コンバータ回路４ａ，４ｂ，４ｃの動作条件と動作モードとの組み合わせを示す図である。なお、図３の表は一例であり、図３の記載に限定されるものではない。一例として、図３では、表の左側から昇圧コンバータ回路４ａ，４ｂ，４ｃの順で記載しているが、昇圧コンバータ回路４ｂ，４ａ，４ｃの順であってもよい。
【０１００】
次に、図３を参照して、昇圧コンバータ回路４ａ，４ｂ，４ｃの動作モードについて説明する。なお、以下では、説明が煩雑になるのを回避するため、昇圧動作停止許可信号の符号表記を省略する。また、複数の昇圧コンバータ回路４ａ，４ｂ，４ｃの総称又は何れか１つを「昇圧コンバータ回路４」と表記し、複数の電圧比較器２０ａ，２０ｂ，２０ｃの総称又は何れか１つを「電圧比較器２０」と表記する。
【０１０１】
電圧比較器２０ａ，２０ｂ，２０ｃから出力される昇圧動作停止許可信号が禁止の場合、禁止の昇圧動作停止許可信号を出力する電圧比較器２０が接続される昇圧コンバータ回路４の動作モードが昇圧動作モードとなる。具体的に、図３の表におけるケース１の場合、電圧比較器２０ｂから出力される昇圧動作停止許可信号が禁止であり、昇圧コンバータ回路４ｂは、昇圧動作モードとなる。
【０１０２】
また、電圧比較器２０ａ，２０ｂ，２０ｃから出力される昇圧動作停止許可信号のうち１つが許可、他の２つが禁止の場合、許可の昇圧動作停止許可信号により動作する昇圧コンバータ回路４の動作モードがバイパス動作モードとなり、他の２つの昇圧コンバータ回路４の動作モードは昇圧動作モードとなる。具体的に、図３の表におけるケース２の場合、電圧比較器２０ｃから出力される昇圧動作停止許可信号が許可、電圧比較器２０ａ，２０ｂから出力される出力される昇圧動作停止許可信号が禁止であり、昇圧コンバータ回路４ｃがバイパス動作モードとなり、昇圧コンバータ回路４ａ，４ｂが昇圧動作モードとなる。
【０１０３】
また、電圧比較器２０ａ，２０ｂ，２０ｃから出力される昇圧動作停止許可信号のうち２つが許可、他の１つが禁止の場合、許可の昇圧動作停止許可信号により動作する昇圧コンバータ回路４の動作モードは、下記のように説明できる。なお、表中において、最大電力点信号が最大電力点である旨を表す信号の場合を「最大点」と表記し、最大電力点信号が最大電力点ではない旨を表す信号の場合を「最大点以外」と表記する。また、表中における「最大点／最大点以外」の表記は、最大電力点信号が最大電力点である旨を表す信号であっても、最大電力点ではない旨を表す信号であってもよいこと、すなわち最大電力点信号が任意でよいことを意味している。以下、図３の表記に従って説明する。
【０１０４】
許可の昇圧動作停止許可信号により動作する昇圧コンバータ回路４に接続される太陽電池ストリング１の動作点のうち、一方の動作点が最大電力点である昇圧コンバータ回路４の動作モードはバイパス動作モードとなる。動作点が最大電力点でない昇圧コンバータ回路４の動作モードは昇圧動作モードとなる。具体的に、図３の表におけるケース４の場合、電圧比較器２０ｂ，２０ｃから出力される昇圧動作停止許可信号が許可、電圧比較器２０ａから出力される昇圧動作停止許可信号が禁止、最大電力点判定器２１ｂから出力される最大電力点信号が最大点、最大電力点判定器２１ｃから出力される最大電力点信号が最大点以外であり、昇圧コンバータ回路４ｂがバイパス動作モード、昇圧コンバータ回路４ａ，４ｃが昇圧動作モードとなる。
【０１０５】
なお、図３の表におけるケース３の場合、許可の昇圧動作停止許可信号により動作する昇圧コンバータ回路４ｂ，４ｃのそれぞれに接続される太陽電池ストリング１ｂ，１ｃの動作点は、両方が最大点である。このとき、当該昇圧コンバータ回路４ｂ，４ｃの動作モードはバイパス動作モードとなっているが、これを以下の通り修正してもよい。具体的には、許可の昇圧動作停止許可信号により動作する昇圧コンバータ回路４のうち、電圧検出器１３から出力されるＶｓが大きい昇圧コンバータ回路４の動作モードをバイパス動作モードとし、Ｖｓが小さい昇圧コンバータ回路４の動作モードを昇圧動作モードとする。
【０１０６】
昇圧コンバータ回路４の動作モードをバイパス動作モードとすると、インバータ回路５の入力側電圧がバイパス動作モードで動作する昇圧コンバータ回路４に接続される太陽電池ストリング１の出力電圧となる。このとき、太陽電池ストリング１の電圧Ｖｓが小さい昇圧コンバータ回路４をバイパス動作モードとすると、電圧Ｖｓが高い昇圧コンバータ回路４は昇圧コンバータ回路４への入力より出力つまり、インバータ回路５の入力側電圧が低くなり、昇圧動作不要となり、電力点を変化させることができない。一方、電圧Ｖｓが大きい昇圧コンバータ回路４をバイパス動作モードとすると、電圧Ｖｓが低い昇圧コンバータ回路４は昇圧コンバータ回路４への入力より出力つまり、インバータ回路５の入力側電圧が大きくなる。よって、昇圧コンバータ回路４による昇圧動作が必要となり、動作点を変化させることができる。このため、太陽電池ストリング１の電圧Ｖｓが大きい昇圧コンバータ回路４の動作モードをバイパス動作モードとする。以下、具体例で説明する。
【０１０７】
図３のケース３を想定する。この場合、電圧比較器２０ａから出力される昇圧動作停止許可信号は禁止、電圧比較器２０ｂ，２０ｃのそれぞれから出力される昇圧動作停止許可信号は許可である。また、最大電力点判定器２１ｂ，２１ｃのそれぞれから出力される最大電力点信号は最大点である。ここで、電圧検出器１３ｂから出力される太陽電池ストリング１ｂの電圧Ｖｓｂが３５０Ｖ、電圧検出器１３ｃから出力される太陽電池ストリング１ｃの電圧Ｖｓｃが３３０Ｖであるとする。この場合、Ｖｓｂ＞Ｖｓｃとなるため、昇圧コンバータ回路４ｂの動作モードは、バイパス動作モードとなり、昇圧コンバータ回路４ｃの動作モードは、昇圧動作モードとなる。
【０１０８】
また、許可の昇圧動作停止許可信号により動作する昇圧コンバータ回路４に接続される太陽電池ストリング１の動作点のうち、両方が最大点以外である場合も、電圧検出器１３から出力されるＶｓが大きい昇圧コンバータ回路の動作モードをバイパス動作モードとし、Ｖｓが小さい昇圧コンバータ回路の動作モードを昇圧動作モードとする。以下、具体例で説明する。
【０１０９】
図３のケース５−１を想定する。この場合、電圧比較器２０ａから出力される昇圧動作停止許可信号は禁止、電圧比較器２０ｂ，２０ｃのそれぞれから出力される昇圧動作停止許可信号は許可である。また、最大電力点判定器２１ｂ，２１ｃのそれぞれから出力される最大電力点信号は最大点以外である。ここで、電圧検出器１３ｂから出力される太陽電池ストリング１ｂの電圧Ｖｓｂが３５０Ｖ、電圧検出器１３ｃから出力される太陽電池ストリング１ｃの電圧Ｖｓｃが３３０Ｖであるとする。この場合、Ｖｓｂ＞Ｖｓｃとなるため、昇圧コンバータ回路４ｂの動作モードは、バイパス動作モードとなり、昇圧コンバータ回路４ｃの動作モードは、昇圧動作モードとなる。
【０１１０】
また、電圧比較器２０ａ，２０ｂ，２０ｃから出力される全ての昇圧動作停止許可信号が許可の場合、許可の昇圧動作停止許可信号により動作する昇圧コンバータ回路４の動作モードは以下の通りとする。
【０１１１】
まず、許可の昇圧動作停止許可信号により動作する昇圧コンバータ回路４に接続される太陽電池ストリング１の動作点のうち、最大点である場合と最大点ではない場合とを含む場合、動作点が最大点である昇圧コンバータ回路４の動作モードは、バイパス動作モードとなる。一方、動作点が最大点でない昇圧コンバータ回路４の動作モードは、昇圧モードとなる。以下、具体例で説明する。
【０１１２】
図３のケース６を想定する。この場合、電圧比較器２０ａ，２０ｂ，２０ｃのそれぞれから出力される昇圧動作停止許可信号は許可である。また、最大電力点判定器２１ａ，２１ｂ，２１ｃから出力される最大電力点信号は、最大点である。このとき、昇圧コンバータ回路４ａ，４ｂ，４ｃ、すなわち全ての昇圧コンバータ回路４は、バイパス動作モードとなる。
【０１１３】
他のケースとして、図３のケース７を想定する。この場合、電圧比較器２０ａ，２０ｂ，２０ｃのそれぞれから出力される昇圧動作停止許可信号は許可である。また、最大電力点判定器２１ａ，２１ｂから出力される最大電力点信号は、最大点であり、最大電力点判定器２１ｃから出力される最大電力点信号は、最大点以外である。このとき、昇圧コンバータ回路４ａ，４ｂは、バイパス動作モードとなり、昇圧コンバータ回路４ｃは、昇圧動作モードとなる。
【０１１４】
次に、許可の昇圧動作停止許可信号により動作する昇圧コンバータ回路に接続される太陽電池ストリング１の動作点のうち、全てが最大点以外である場合、電圧検出器１３から出力されるＶｓが一番大きい昇圧コンバータ回路の動作モードをバイパス動作モードとし、Ｖｓが小さい他の昇圧コンバータ回路の動作モードを昇圧動作モードとする。以下、具体例で説明する。
【０１１５】
図３のケース９−１を想定する。この場合、電圧比較器２０ａ，２０ｂ，２０ｃから出力される昇圧動作停止許可信号が許可である。また、最大電力点判定器２１ａ，２１ｂ，２１ｃから出力される最大電力点信号は、最大点以外である。ここで、電圧検出器１３ａから出力される太陽電池ストリング１ａの電圧Ｖｓａが３５０Ｖ、電圧検出器１３ｂから出力される太陽電池ストリング１ｂの電圧Ｖｓｂが３４０Ｖ、電圧検出器１３ｃから出力される太陽電池ストリング１ｃの電圧Ｖｓｃが３３０Ｖとする。この場合、Ｖｓａ＞Ｖｓｂ＞Ｖｓｃとなるため、昇圧コンバータ回路４ａの動作モードは、バイパス動作モードとなり、昇圧コンバータ回路４ｂ，４ｃの動作モードは、昇圧動作モードとなる。
【０１１６】
次に、ゲートパルス指令生成器２３について説明する。
【０１１７】
ゲートパルス指令生成器２３ａは、動作モード判定器２２Ａから出力された動作モード指令Ｑｓａを受領する。ゲートパルス指令生成器２３ａは、受領した動作モード指令Ｑｓａに基づき、ゲートパルス発生器１８ａへ昇圧コンバータ回路４ａを動作させるためのゲートパルス指令Ｇｓａを出力する。ゲートパルス指令生成器２３ａは、受領した動作モード指令Ｑｓａに含まれる動作モードが昇圧動作モードの場合、昇圧コンバータ回路４ａに接続される太陽電池ストリング１ａの動作点が最大電力点となるようなゲートパルス指令Ｇｓａをゲートパルス発生器１８ａに出力する。
【０１１８】
また、ゲートパルス指令生成器２３ａは、受領した動作モード指令Ｑｓａに含まれる動作モードがバイパス動作モードの場合、昇圧コンバータ回路４ａの動作が停止となるようなゲートパルス指令Ｇｓａをゲートパルス発生器１８ａに出力する。
【０１１９】
ゲートパルス指令生成器２３ｂは、動作モード判定器２２Ａから出力された動作モード指令Ｑｓｂを受領する。ゲートパルス指令生成器２３ｂは、受領した動作モード指令Ｑｓｂに基づき、ゲートパルス発生器１８ｂへ昇圧コンバータ回路４ｂを動作させるためのゲートパルス指令Ｇｓｂを出力する。ゲートパルス指令生成器２３ｂは、受領した動作モード指令Ｑｓｂに含まれる動作モードが昇圧動作モードの場合、昇圧コンバータ回路４ｂに接続される太陽電池ストリング１ｂの動作点が最大電力点となるようなゲートパルス指令Ｇｓｂをゲートパルス発生器１８ｂに出力する。
【０１２０】
また、ゲートパルス指令生成器２３ｂは、受領した動作モード指令Ｑｓｂに含まれる動作モードがバイパス動作モードの場合、昇圧コンバータ回路４ｂの動作が停止となるようなゲートパルス指令Ｇｓｂをゲートパルス発生器１８ｂに出力する。
【０１２１】
ゲートパルス指令生成器２３ｃは、動作モード判定器２２Ａから出力された動作モード指令Ｑｓｃを受領する。ゲートパルス指令生成器２３ｃは、受領した動作モード指令Ｑｓｃに基づき、ゲートパルス発生器１８ｃへ昇圧コンバータ回路４ｃを動作させるためのゲートパルス指令Ｇｓｃを出力する。ゲートパルス指令生成器２３ｃは、受領した動作モード指令Ｑｓｃに含まれる動作モードが昇圧動作モードの場合、昇圧コンバータ回路４ｃに接続される太陽電池ストリング１ｃの動作点が最大電力点となるようなゲートパルス指令Ｇｓｃをゲートパルス発生器１８ｃに出力する。
【０１２２】
また、ゲートパルス指令生成器２３ｃは、受領した動作モード指令Ｑｓｃに含まれる動作モードがバイパス動作モードの場合、昇圧コンバータ回路４ｃの動作が停止となるようなゲートパルス指令Ｇｓｃをゲートパルス発生器１８ｃに出力する。
【０１２３】
上述した動作を、図４を用いて説明する。図４は、実施の形態１における系統連系インバータ装置３の制御器１６の動作説明に供するフローチャートである。
【０１２４】
（Ｓ２０１）
太陽電池ストリング１のそれぞれの出力電圧の電圧値Ｖｓａ，Ｖｓｂ，Ｖｓｃ、及び太陽電池ストリング１のそれぞれの出力電力の電力値Ｐｓａ，Ｐｓｂ，Ｐｓｃが測定される。
【０１２５】
（Ｓ２０２）
商用電力系統２のＵ，Ｗ間の電圧である電圧値Ｖｕｗが測定される。
【０１２６】
（Ｓ２０３）
Ｓ２０２で測定された電圧値Ｖｕｗにより、出力電圧目標値設定器１７において、インバータ回路５の制御目標値ＶiiＳが設定される。このとき、ＶiiＳは、上記（１）式で演算される。
【０１２７】
（Ｓ２０４）
電圧比較器２０ａにおいて、電圧検出器１３ａにより検出された電圧値Ｖｓａと出力電圧目標値設定器１７により設定された制御目標値ＶiiＳとが比較される。
【０１２８】
（Ｓ２０５）
Ｓ２０４の比較結果において、Ｖｓａ≧ＶiiＳの場合（Ｓ２０４，Ｙｅｓ）、昇圧コンバータ回路４ａの昇圧動作の停止が許可される。一方、Ｖｓａ＜ＶiiＳの場合（Ｓ２０４，Ｎｏ）、昇圧コンバータ回路４ａの昇圧動作の停止が禁止される。
【０１２９】
（Ｓ２０６）
電圧比較器２０ｂにおいて、電圧検出器１３ｂにより検出された電圧値Ｖｓｂと出力電圧目標値設定器１７により設定された制御目標値ＶiiＳとが比較される。
【０１３０】
（Ｓ２０７）
Ｓ２０６の比較結果において、Ｖｓｂ≧ＶiiＳの場合（Ｓ２０６，Ｙｅｓ）、昇圧コンバータ回路４ｂの昇圧動作の停止が許可される。一方、Ｖｓｂ＜ＶiiＳの場合（Ｓ２０６，Ｎｏ）、昇圧コンバータ回路４ｂの昇圧動作の停止が禁止される。
【０１３１】
（Ｓ２０８）
電圧比較器２０ｃにおいて、電圧検出器１３ｃにより検出された電圧値Ｖｓｃと出力電圧目標値設定器１７により設定された制御目標値ＶiiＳとが比較される。
【０１３２】
（Ｓ２０９）
Ｓ２０８の比較結果において、Ｖｓｃ≧ＶiiＳの場合（Ｓ２０８，Ｙｅｓ）、昇圧コンバータ回路４ｃの昇圧動作の停止が許可される。一方、Ｖｓｃ＜ＶiiＳの場合（Ｓ２０８，Ｎｏ）、昇圧コンバータ回路４ｃの昇圧動作の停止が禁止される。
【０１３３】
（Ｓ２１０）
電圧検出器１３ａが検出した電圧値Ｖｓａと、電力演算器１４ａが演算した電力値Ｐｓａとに基づき、太陽電池ストリング１ａの動作点が最大電力点で動作しているか否かが判定される。
【０１３４】
（Ｓ２１１）
Ｓ２１０において、−１．０［Ｗ／Ｖ］≦ΔＰｓａ／ΔＶｓａ≦１．０［Ｗ／Ｖ］が成立する場合（Ｓ２１０，Ｙｅｓ）、太陽電池ストリング１ａは最大電力点で動作していると判定する。一方、上記範囲外の場合（Ｓ２１０，Ｎｏ）、太陽電池ストリング１ａの動作点は最大電力点以外と判定する。
【０１３５】
（Ｓ２１２）
電圧検出器１３ｂが検出した電圧値Ｖｓｂと、電力演算器１４ｂが演算した電力値Ｐｓｂとに基づき、太陽電池ストリング１ｂの動作点が最大電力点で動作しているか否かを判定する。
【０１３６】
（Ｓ２１３）
Ｓ２１２において、−１．０［Ｗ／Ｖ］≦ΔＰｓｂ／ΔＶｓｂ≦１．０［Ｗ／Ｖ］が成立する場合（Ｓ２１２，Ｙｅｓ）、太陽電池ストリング１ｂは最大電力点で動作していると判定する。一方、上記範囲外の場合（Ｓ２１２，Ｎｏ）、太陽電池ストリング１ｂの動作点は最大電力点以外と判定する。
【０１３７】
（Ｓ２１４）
電圧検出器１３ｃが検出した電圧値Ｖｓｃと、電力演算器１４ｃが演算した電力値Ｐｓｃとに基づき、太陽電池ストリング１ｃの動作点が最大電力点で動作しているか否かを判定する。
【０１３８】
（Ｓ２１５）
Ｓ２１４において、−１．０［Ｗ／Ｖ］≦ΔＰｓｃ／ΔＶｓｃ≦１．０［Ｗ／Ｖ］が成立する場合（Ｓ２１４，Ｙｅｓ）、太陽電池ストリング１ｃは最大電力点で動作していると判定する。一方、上記範囲外の場合（Ｓ２１４，Ｎｏ）、太陽電池ストリング１ｃの動作点は最大電力点以外と判定する。
【０１３９】
（Ｓ２１６）
昇圧コンバータ回路４ａ，４ｂ，４ｃのうち、昇圧動作の停止が許可された昇圧コンバータ回路４の数が複数あるか否かを判定する。
【０１４０】
（Ｓ２１７）
昇圧動作の停止が許可された昇圧コンバータ回路４の数が複数ではない（すなわち単数である）場合（Ｓ２１６，Ｎｏ）、昇圧動作の停止が許可された昇圧コンバータ回路４の動作モードがバイパス動作モードに設定される。なお、昇圧動作の停止が許可された昇圧コンバータ回路４の数が複数ではない場合とは、昇圧動作の停止が許可された昇圧コンバータ回路４の数が単数である場合と、昇圧動作の停止が許可された昇圧コンバータ回路４の数がゼロである場合すなわち全ての昇圧コンバータ回路４における昇圧動作の停止が禁止された場合と、を含む。従って、全ての昇圧コンバータ回路４における昇圧動作の停止が禁止された場合には、全ての昇圧コンバータ回路４の動作モードが昇圧動作モードとなる。または、１つの昇圧コンバータ回路４の昇圧動作の停止が許可された場合、許可された昇圧コンバータ回路４の動作モードがバイパス動作モードとなり、残りの昇圧コンバータ回路４の動作モードは昇圧動作モードとなる。
【０１４１】
（Ｓ２１８）
一方、昇圧動作の停止が許可された昇圧コンバータ回路４の数が複数である場合（Ｓ２１６，Ｙｅｓ）、さらに全ての太陽電池ストリング１の動作点が最大電力点以外であるか否かを判定する。
【０１４２】
（Ｓ２１９）
全ての太陽電池ストリング１の動作点が最大電力点以外である場合（Ｓ２１８，Ｙｅｓ）、太陽電池ストリング１のうちで最大電圧となる太陽電池ストリング１が接続される昇圧コンバータ回路４の動作モードがバイパス動作モードとなる。なお、このとき、他の昇圧コンバータ回路４の動作モードが昇圧動作モードとなることは言うまでもない。
【０１４３】
（Ｓ２２０）
また、少なくとも１つの太陽電池ストリング１の動作点が最大電力点である場合（Ｓ２１８，Ｎｏ）、最大電力点で動作している太陽電池ストリング１が接続される昇圧コンバータ回路４の動作モードがバイパス動作モードとなる。なお、このとき、他の昇圧コンバータ回路４の動作モードが昇圧動作モードとなることは言うまでもない。
【０１４４】
実施の形態１に係る系統連系インバータ装置３の動作の更なる理解のため、図４のフローチャートに従い、具体的な数値を用いて説明する。
【０１４５】
なお、Ｓ２０１で測定される電圧値Ｖｓａ，Ｖｓｂ，Ｖｓｃ及び電力値Ｐｓａ，Ｐｓｂ，Ｐｓｃは、以下の値とする。
Ｖｓａ＝３３０［Ｖ］
Ｖｓｂ＝３２０［Ｖ］
Ｖｓｃ＝２８０［Ｖ］
Ｐｓａ＝１０００［Ｗ］
Ｐｓｂ＝９００［Ｗ］
Ｐｓｃ＝８００［Ｗ］
【０１４６】
また、Ｓ２０２で測定される電圧値Ｖｕｗは、以下の値とする。
Ｖｕｗ＝２００［Ｖ］
【０１４７】
また、Ｓ２１０，Ｓ２１２，Ｓ２１４で用いられるΔＰｓａ／ΔＶｓａ、ΔＰｓｂ／ΔＶｓｂ、及びΔＰｓｃ／ΔＶｓｃは、以下の値を使用する。
ΔＰｓａ／ΔＶｓａ＝０．９［Ｗ／Ｖ］
ΔＰｓｂ／ΔＶｓｂ＝１．２［Ｗ／Ｖ］
ΔＰｓｃ／ΔＶｓｃ＝０．５［Ｗ／Ｖ］
【０１４８】
（Ｓ２０３）
Ｓ２０２で測定された電圧値Ｖｕｗにより、出力電圧目標値設定器１７において、インバータ回路５の制御目標値ＶiiＳが、以下の通り設定される。
ＶiiＳ＝√２×２００＋３５＝３１７．８［Ｖ］
【０１４９】
（Ｓ２０４）〜（Ｓ２０５）
Ｖｓａ（３３０［Ｖ］）≧ＶiiＳ（３１７．８［Ｖ］）が成立し、昇圧コンバータ回路４ａの昇圧動作の停止は許可される。
【０１５０】
（Ｓ２０６）〜（Ｓ２０７）
Ｖｓｂ（３２０［Ｖ］）≧ＶiiＳ（３１７．８［Ｖ］）が成立し、昇圧コンバータ回路４ｂの昇圧動作の停止は許可される。
【０１５１】
（Ｓ２０８）〜（Ｓ２０９）
Ｖｓｃ（２８０Ｖ）＜ＶiiＳ（３１７．８Ｖ）が成立し、昇圧コンバータ回路４ｃの昇圧動作の停止は禁止される。
【０１５２】
（Ｓ２１０）〜（Ｓ２１１）
ΔＰｓａ／ΔＶｓａ＝０．９［Ｗ／Ｖ］であり、−１．０［Ｗ／Ｖ］≦ΔＰｓａ／ΔＶｓａ≦１．０［Ｗ／Ｖ］が成立するので、太陽電池ストリング１ａは最大電力点で動作していると判定される。
【０１５３】
（Ｓ２１２）〜（Ｓ２１３）
ΔＰｓｂ／ΔＶｓｂ＝１．２［Ｗ／Ｖ］であり、−１．０［Ｗ／Ｖ］≦ΔＰｓｂ／ΔＶｓａ≦１．０［Ｗ／Ｖ］が成立しないので、太陽電池ストリング１ｂは最大電力点以外で動作していると判定される。
【０１５４】
（Ｓ２１４）〜（Ｓ２１５）
ΔＰｓｃ／ΔＶｓｃ＝０．５［Ｗ／Ｖ］であり、−１．０［Ｗ／Ｖ］≦ΔＰｓｃ／ΔＶｓｃ≦１．０［Ｗ／Ｖ］が成立するので、太陽電池ストリング１ｃは最大電力点で動作していると判定される。
【０１５５】
（Ｓ２１６）〜（Ｓ２２０）
昇圧コンバータ回路４ａは昇圧動作の停止が許可され、太陽電池ストリング１ａは最大電力点で動作している。昇圧コンバータ回路４ｂは昇圧動作の停止が許可され、太陽電池ストリング１ｂは最大電力点以外で動作している。昇圧コンバータ回路４ｃは昇圧動作の停止が禁止され、太陽電池ストリング１ｃは最大電力点で動作している。ここで、昇圧コンバータ回路４ａ，４ｂは、昇圧動作の停止が許可されており、太陽電池ストリング１ａの動作点が最大電力点であるため、昇圧コンバータ回路４ａの動作モードはバイパス動作モードとなり、昇圧コンバータ回路４ｂ，４ｃの動作モードは昇圧動作モードとなる。
【０１５６】
以上説明したように、実施の形態１に係る系統連系インバータ装置３は、制御器１６により、昇圧コンバータ回路４ａ，４ｂ，４ｃの動作モードを決定し、動作モードに応じたゲートパルスを出力する構成である。このような構成により、複数の昇圧コンバータ回路４の動作モードをバイパス動作モードとすることができ、昇圧コンバータ回路４の変換効率を向上させることができる。
【０１５７】
複数の太陽電池ストリングが系統連系インバータ装置に接続される場合、接続枚数が同一であっても、設置環境に起因して電圧差が発生する。このため、従来の系統連系インバータ装置では、複数の昇圧コンバータ回路をバイパス動作モードで動作できず、昇圧コンバータ回路の変換効率が低下するという課題があった。
【０１５８】
これに対し、実施の形態１に係る系統連系インバータ装置３によれば、複数の太陽電池ストリングの設置環境が異なっても、複数の昇圧コンバータ回路をバイパス動作モードで動作させることができるので、昇圧コンバータ回路の変換効率を向上させることができる。
【０１５９】
実施の形態２．
次に、実施の形態２に係る系統連系インバータ装置について説明する。実施の形態２に係る系統連系インバータ装置と、実施の形態１に係る系統連系インバータ装置とでは、制御器１６における動作が異なる。よって、以下では、実施の形態１と異なる制御器１６の動作を中心に説明する。なお、実施の形態２に係る系統連系インバータ装置３の構成は、実施の形態１に係る系統連系インバータ装置３と同一又は同等であるため、ここでの説明を省略する。
【０１６０】
図５は、実施の形態２における制御器１６の構成の詳細図である。制御器１６は、出力電圧目標値設定器１７と、電圧比較器３０と、電力変化検出器３１ａ，３１ｂ，３１ｃと、動作モード判定器２２Ｂと、ゲートパルス指令生成器２３ａ，２３ｂ，２３ｃと、を備える。出力電圧目標値設定器１７及びゲートパルス指令生成器２３ａ，２３ｂ，２３ｃは、実施の形態１と同様であるため、ここでの説明は省略する。
【０１６１】
電圧比較器３０は、電圧検出器１３ａ，１３ｂ，１３ｃから出力された太陽電池ストリング１ａ，１ｂ，１ｃのそれぞれの電圧値Ｖｓａ，Ｖｓｂ，Ｖｓｃと、出力電圧目標値設定器１７から出力されたインバータ回路５の制御目標値ＶiiＳと、に基づき、動作モード判定器２２Ｂへ昇圧動作停止許可信号Ｃｓを出力する。電圧比較器３０は、太陽電池ストリング１ａ，１ｂ，１ｃのそれぞれの電圧値Ｖｓａ，Ｖｓｂ，Ｖｓｃとインバータ回路５の制御目標値ＶiiＳとを比較し、以下のような昇圧動作停止の許可及び禁止を判定する。
【０１６２】
Ｖｓａ≧ＶiiＳならば、昇圧コンバータ回路４ａの昇圧動作の停止を許可する。
Ｖｓａ＜ＶiiＳならば、昇圧コンバータ回路４ａの昇圧動作の停止を禁止する。
Ｖｓｂ≧ＶiiＳならば、昇圧コンバータ回路４ｂの昇圧動作の停止を許可する。
Ｖｓｂ＜ＶiiＳならば、昇圧コンバータ回路４ｂの昇圧動作の停止を禁止する。
Ｖｓｃ≧ＶiiＳならば、昇圧コンバータ回路４ｃの昇圧動作の停止を許可する。
Ｖｓｃ＜ＶiiＳならば、昇圧コンバータ回路４ｃの昇圧動作の停止を禁止する。
【０１６３】
電圧比較器３０は、さらに、太陽電池ストリング１ａ，１ｂ，１ｃの電圧値Ｖｓａ，Ｖｓｂ，Ｖｓｃのうちで、最も大きい電圧を検出し、それをＶｓｍａｘとする。昇圧コンバータ回路４のうち、ＶｓｍａｘであるＶｓが入力される昇圧コンバータ回路４については、昇圧動作の停止を許可とする。その他の昇圧コンバータ回路４については、当該昇圧コンバータ回路４に入力されるＶｓとＶｓｍａｘとの差が１［Ｖ］以内であれば、当該昇圧コンバータ回路４の昇圧動作の停止を許可とする。一方、ＶｓとＶｓｍａｘとの差が１［Ｖ］より大きければ、昇圧コンバータ回路４の昇圧動作の停止を禁止とする。このようにして、電圧比較器３０は、昇圧コンバータ回路４ａ，４ｂ，４ｃそれぞれの昇圧動作の停止の許可又は禁止を判定し、それらの情報を含む昇圧動作停止許可信号Ｃｓを動作モード判定器２２Ｂに出力する。
【０１６４】
なお、上述の例では、ＶｓｍａｘとＶｓとの差の判定値を、１［Ｖ］として説明したがこの数値には限定されない。当該判定値は、昇圧コンバータ回路４を停止することによる電圧変換ロスの低減分と、最大電力点からの電圧差による電力低下分とを比較することで求めることができる。肝要な点は、最大電力点からの電圧差による電力低下分の方が、昇圧コンバータ回路４を停止することによる電圧変換ロスの低減分よりも小さくできる電圧差であればよい。
【０１６５】
電力変化検出器３１ａは、電圧検出器１３ａから出力された太陽電池ストリング１ａの電圧値Ｖｓａと電力演算器１４ａが演算した電力値Ｐｓａとに基づき、太陽電池ストリング１ａの動作点における電力変化率Ｒ_Ｐｓａを演算して動作モード判定器２２Ｂへ出力する。電力変化率Ｒ_Ｐｓａは、実施の形態１でも説明したΔＰｓａ／ΔＶｓａを用いることができる。
【０１６６】
電力変化検出器３１ｂは、電圧検出器１３ｂから出力された太陽電池ストリング１ｂの電圧値Ｖｓｂと電力演算器１４ｂが演算した電力値Ｐｓｂとに基づき、太陽電池ストリング１ｂの動作点における電力変化率Ｒ_Ｐｓｂを演算して動作モード判定器２２Ｂへ出力する。電力変化率Ｒ_Ｐｓｂは、実施の形態１でも説明したΔＰｓｂ／ΔＶｓｂを用いることができる。
【０１６７】
電力変化検出器３１ｃは、電圧検出器１３ｃから出力された太陽電池ストリング１ｃの電圧値Ｖｓｃと電力演算器１４ｃが演算した電力値Ｐｓｃとに基づき、太陽電池ストリング１ｃの動作点における電力変化率Ｒ_Ｐｓｃを演算して動作モード判定器２２Ｂへ出力する。電力変化率Ｒ_Ｐｓｃは、実施の形態１でも説明したΔＰｓｃ／ΔＶｓｃを用いることができる。
【０１６８】
動作モード判定器２２Ｂは、電圧比較器３０から出力された昇圧動作停止許可信号Ｃｓと、電力変化検出器３１ａ，３１ｂ，３１ｃから出力された電力変化率Ｒ_Ｐｓａ，Ｒ_Ｐｓｂ，Ｒ_Ｐｓｃと、に基づき、ゲートパルス指令生成器２３ａ，２３ｂ，２３ｃのそれぞれへ動作モード指令Ｑｓａ，Ｑｓｂ，Ｑｓｃを出力する。
【０１６９】
また、動作モード判定器２２Ｂは、電圧比較器３０から出力された昇圧動作停止許可信号Ｃｓと、電力変化検出器３１ａ，３１ｂ，３１ｃから出力された電力変化率Ｒ_Ｐｓａ，Ｒ_Ｐｓｂ，Ｒ_Ｐｓｃと、に基づいて昇圧コンバータ回路４ａ，４ｂ，４ｃの動作モードを決定する。
【０１７０】
次に、図６及び図７を参照して、昇圧コンバータ回路４ａ，４ｂ，４ｃの動作モードについて説明する。図６は、昇圧コンバータ回路４ａ，４ｂ，４ｃにおける動作条件と動作モードとの組み合わせを示す図である。図７は、太陽電池ストリングの特性と電力変化率との関係を示す図である。
【０１７１】
なお、図６の表は一例であり、図６の記載に限定されるものではない。一例として、図６では、表の左側から昇圧コンバータ回路４ａ，４ｂ，４ｃの順で記載しているが、昇圧コンバータ回路４ｂ，４ａ，４ｃの順であってもよい。また、以下では、説明が煩雑になるのを回避するため、昇圧動作停止許可信号及び電力変化率の符号表記を適宜省略する。また、複数の昇圧コンバータ回路４ａ，４ｂ，４ｃの総称又は何れか１つを「昇圧コンバータ回路４」と表記し、複数の電力変化検出器３１ａ，３１ｂ，３１ｃの総称又は何れか１つを「電力変化検出器３１」と表記する。
【０１７２】
まず、昇圧コンバータ回路４ｃに関する昇圧動作停止許可信号が許可であり、昇圧コンバータ回路４ａ，４ｂのそれぞれに関する昇圧動作停止許可信号が禁止の場合、昇圧コンバータ回路４ｃの動作モードはバイパス動作モードとなり、昇圧コンバータ回路４ａ，４ｂの動作モードは昇圧動作モードとなる。具体的に、図６の表におけるケース２の場合、電圧比較器３０から出力される昇圧動作停止許可信号が、昇圧コンバータ回路４ａ，４ｂに関しては禁止であり、昇圧コンバータ回路４ｃに関しては許可であり、昇圧コンバータ回路４ａ，４ｂは昇圧動作モードとなり、昇圧コンバータ回路４ｃはバイパス動作モードとなる。
【０１７３】
また、昇圧動作停止許可信号が許可である昇圧コンバータ回路４が２つある場合、電力変化検出器３１ａ，３１ｂ，３１ｃにより検出された電力変化率により動作モードが決定される。このとき、昇圧動作停止許可信号が許可である昇圧コンバータ回路４の電力変化率の極性を比較する。２つの電力変化率が共に正又は負である場合、すなわち２つの電力変化率が同極性の場合、２つの昇圧コンバータ回路４の動作モードをバイパス動作モードとする。一方、２つの電力変化率が正および負といった異極性の場合、電力変化率が負である昇圧コンバータ回路の動作モードをバイパス動作モードとし、電力変化率が正である昇圧コンバータ回路の動作モードを昇圧動作モードとする。この理由について、図７を用いて説明する。
【０１７４】
まず、太陽電池ストリングの特性カーブＫ１を参照する。特性カーブＫ１上には現在の動作点が示されている。この動作点では、電力変化率が正である。電力変化率が正である場合、図示の波形から明らかなように、最大電力点は、現在の動作点より高電圧側にある。次に、他の太陽電池ストリングの特性カーブＫ２を参照する。特性カーブＫ２における現在の動作点では、電力変化率が負である。電力変化率が負である場合、図示の波形から明らかなように、最大電力点は、現在の動作点よりも低電圧側にある。双方の昇圧コンバータ回路４の動作モードがバイパス動作モードである場合、動作点を独立して変化させることができない。このため、一方を昇圧動作モード、もう一方をバイパス動作モードとすることで最大電力点を追従できるようにする。このとき、実施の形態１と同様の理由で、最大電力点の電圧が大きい太陽電池ストリング１に接続されている昇圧コンバータ回路４をバイパス動作モードとし、最大電力点の電圧が小さい太陽電池ストリング１に接続されている昇圧コンバータ回路４の動作モードを昇圧動作モードとする。この考え方を実施の形態２に適用すれば、上記の通り、電力変化率が正である太陽電池ストリング１に接続されている昇圧コンバータ回路４をバイパス動作モードとし、電力変化率が負である太陽電池ストリング１に接続されている昇圧コンバータ回路４の動作モードを昇圧動作モードとする。このようにすることで、双方の太陽電池ストリング１の最大電力点を追従することが可能となる。
【０１７５】
図６に戻り、表のケース３〜５を参照して説明する。ケース３〜５の場合、昇圧コンバータ回路４ｂ，４ｃに関する昇圧動作停止許可信号は許可であり、昇圧コンバータ回路４ａに関する昇圧動作停止許可信号は禁止である。ケース３の場合、昇圧コンバータ回路４ｂ，４ｃのそれぞれに関する電力変化率は共に正であり、同極性である。このため、昇圧コンバータ回路４ｂ，４ｃの動作モードはバイパス動作モードとなり、昇圧コンバータ回路４ａの動作モードは昇圧動作モードとなる。
【０１７６】
また、ケース４の場合、昇圧コンバータ回路４ｂに関する電力変化率は正、昇圧コンバータ回路４ｃに関する電力変化率は負であり、異極性である。このため、電力変化率が正である太陽電池ストリング１に接続される昇圧コンバータ回路４ｂの動作モードはバイパス動作モードとなり、電力変化率が負である太陽電池ストリング１に接続される昇圧コンバータ回路４ｃの動作モードは昇圧動作モードとなる。
【０１７７】
また、ケース５は、ケース４の逆である。ケース５の場合、昇圧コンバータ回路４ｂに関する電力変化率は負、昇圧コンバータ回路４ｃに関する電力変化率は正であり、異極性である。このため、電力変化率が負である太陽電池ストリング１に接続される昇圧コンバータ回路４ｂの動作モードは昇圧動作モードとなり、電力変化率が正である太陽電池ストリング１に接続される昇圧コンバータ回路４ｃの動作モードはバイパス動作モードとなる。
【０１７８】
また、昇圧動作停止許可信号が許可である昇圧コンバータ回路４が３つの場合についても、２つの場合と同様に動作モードを決定することができる。以下、具体的に説明する。
【０１７９】
まず、図６のケース６からケース１３を想定する。これらのケースの場合、昇圧コンバータ回路４ａ，４ｂ，４ｃに関する昇圧動作停止許可信号は全て許可である。
【０１８０】
ケース６の場合、電力変化率Ｒ_Ｐｓａが正、電力変化率Ｒ_Ｐｓｂが正、電力変化率Ｒ_Ｐｓｃが正であるため、昇圧コンバータ回路４ａ，４ｂ，４ｃの動作モードは、全てがバイパス動作モードとなる。
【０１８１】
ケース７の場合、電力変化率Ｒ_Ｐｓａが正、電力変化率Ｒ_Ｐｓｂが正、電力変化率Ｒ_Ｐｓｃが負であるため、昇圧コンバータ回路４ａ，４ｂの動作モードはバイパス動作モード、昇圧コンバータ回路４ｃの動作モードは昇圧動作モードとなる。
【０１８２】
ケース８の場合、電力変化率Ｒ_Ｐｓａが正、電力変化率Ｒ_Ｐｓｂが負、電力変化率Ｒ_Ｐｓｃが正であるため、昇圧コンバータ回路４ａ，４ｃの動作モードはバイパス動作モード、昇圧コンバータ回路４ｂの動作モードは昇圧動作モードとなる。
【０１８３】
ケース９の場合、電力変化率Ｒ_Ｐｓａが正、電力変化率Ｒ_Ｐｓｂが負、電力変化率Ｒ_Ｐｓｃが負であるため、昇圧コンバータ回路４ａの動作モードはバイパス動作モード、昇圧コンバータ回路４ｂ，４ｃの動作モードは昇圧動作モードとなる。
【０１８４】
ケース１０の場合、電力変化率Ｒ_Ｐｓａが負、電力変化率Ｒ_Ｐｓｂが正、電力変化率Ｒ_Ｐｓｃが正であるため、昇圧コンバータ回路４ｂ，４ｃの動作モードはバイパス動作モード、昇圧コンバータ回路４ａの動作モードは昇圧動作モードとなる。
【０１８５】
ケース１１の場合、電力変化率Ｒ_Ｐｓａが負、電力変化率Ｒ_Ｐｓｂが正、電力変化率Ｒ_Ｐｓｃが負であるため、昇圧コンバータ回路４ｂの動作モードはバイパス動作モード、昇圧コンバータ回路４ａ，４ｃの動作モードは昇圧動作モードとなる。
【０１８６】
ケース１２の場合、電力変化率Ｒ_Ｐｓａが負、Ｒ電力変化率_Ｐｓｂが負、電力変化率Ｒ_Ｐｓｃが正であるため、昇圧コンバータ回路４ｃの動作モードはバイパス動作モード、昇圧コンバータ回路４ａ，４ｂの動作モードは昇圧動作モードとなる。
【０１８７】
ケース１３の場合、電力変化率Ｒ_Ｐｓａが負、電力変化率Ｒ_Ｐｓｂが負、電力変化率Ｒ_Ｐｓｃが負であるため、昇圧コンバータ回路４ａ，４ｂ，４ｃの動作モードはバイパス動作モードとなる。
【０１８８】
上述した動作を、図８を用いて説明する。図８は、実施の形態２における系統連系インバータ装置３の制御器１６の動作説明に供するフローチャートである。
【０１８９】
（Ｓ３０１）
太陽電池ストリング１のそれぞれの出力電圧の電圧値Ｖｓａ，Ｖｓｂ，Ｖｓｃ、及び太陽電池ストリング１のそれぞれの出力電力の電力値Ｐｓａ，Ｐｓｂ，Ｐｓｃが測定される。
【０１９０】
（Ｓ３０２）
商用電力系統２のＵ，Ｗ間の電圧である電圧値Ｖｕｗが測定される。
【０１９１】
（Ｓ３０３）
Ｓ３０２で測定された電圧値Ｖｕｗにより、出力電圧目標値設定器１７において、インバータ回路５の制御目標値ＶiiＳが設定される。このとき、ＶiiＳは、上記（１）式で演算される。
【０１９２】
（Ｓ３０４）
電圧比較器３０において、電圧検出器１３ａ，１３ｂ，１３ｃにより検出された電圧値Ｖｓａ，Ｖｓｂ，Ｖｓｃのうちで一番大きい電圧値Ｖｓｍａｘを検出する。
【０１９３】
（Ｓ３０５）
電圧比較器３０において、電圧検出器１３ａにより検出された電圧値Ｖｓａと出力電圧目標値設定器１７により設定された制御目標値ＶiiＳとが比較される。また、電圧比較器３０において、Ｓ３０４で検出された電圧値Ｖｓｍａｘと電圧検出器１３ａにより検出された電圧値Ｖｓａとが比較される。
【０１９４】
（Ｓ３０６）
Ｓ３０５の比較結果において、Ｖｓａ≧ＶiiＳ、且つ｜Ｖｓｍａｘ−Ｖｓａ｜≦１［Ｖ］の場合（Ｓ３０５、Ｙｅｓ）、昇圧コンバータ回路４ａの昇圧動作の停止が許可される。一方、Ｖｓａ＜ＶiiＳ、又は｜Ｖｓｍａｘ−Ｖｓａ｜＞１［Ｖ］の場合（Ｓ３０５、Ｎｏ）、昇圧コンバータ回路４ａの昇圧動作の停止が禁止される。
【０１９５】
（Ｓ３０７）
電圧比較器３０において、電圧検出器１３ｂにより検出された電圧値Ｖｓｂと出力電圧目標値設定器１７により設定された制御目標値ＶiiＳとが比較される。また、電圧比較器３０において、Ｓ３０４で検出された電圧値Ｖｓｍａｘと電圧検出器１３ｂにより検出された電圧値Ｖｓｂとが比較される。
【０１９６】
（Ｓ３０８）
Ｓ３０７の比較結果において、Ｖｓｂ≧ＶiiＳ、且つ｜Ｖｓｍａｘ−Ｖｓｂ｜≦１［Ｖ］の場合（Ｓ３０７、Ｙｅｓ）、昇圧コンバータ回路４ｂの昇圧動作の停止が許可される。一方、Ｖｓｂ＜ＶiiＳ、又は｜Ｖｓｍａｘ−Ｖｓｂ｜＞１［Ｖ］の場合（Ｓ３０７、Ｎｏ）、昇圧コンバータ回路４ｂの昇圧動作の停止が禁止される。
【０１９７】
（Ｓ３０９）
電圧比較器３０において、電圧検出器１３ｃにより検出された電圧値Ｖｓｃと出力電圧目標値設定器１７により設定された制御目標値ＶiiＳとが比較される。また、電圧比較器３０において、Ｓ３０４で検出された電圧値Ｖｓｍａｘと電圧検出器１３ｃにより検出された電圧値Ｖｓｃとが比較される。
【０１９８】
（Ｓ３１０）
Ｓ３０９の比較結果において、Ｖｓｃ≧ＶiiＳ、且つ｜Ｖｓｍａｘ−Ｖｓｃ｜≦１［Ｖ］の場合（Ｓ３０９、Ｙｅｓ）、昇圧コンバータ回路４ｃの昇圧動作の停止が許可される。一方、Ｖｓｃ＜ＶiiＳ、又は｜Ｖｓｍａｘ−Ｖｓｃ｜＞１［Ｖ］の場合（Ｓ３０９、Ｎｏ）、昇圧コンバータ回路４ｃの昇圧動作の停止が禁止される。
【０１９９】
（Ｓ３１１）
電力変化検出器３１ａ，３１ｂ，３１ｃにおいて、電圧検出器１３ａが検出した電圧値Ｖｓａと、電力演算器１４ａが演算した電力値Ｐｓａとに基づき、電力変化率Ｒ_Ｐｓａ，Ｒ_Ｐｓｂ，Ｒ_Ｐｓｃが演算される。なお、電力変化率Ｒ_Ｐｓａ，Ｒ_Ｐｓｂ，Ｒ_Ｐｓｃのそれぞれは、Ｒ_Ｐｓａ＝ΔＰｓａ／ΔＶｓａ、Ｒ_Ｐｓｂ＝ΔＰｓｂ／ΔＶｓｂ、及びＲ_Ｐｓｃ＝ΔＰｓｃ／ΔＶｓｃの算出式から求めることができる。
【０２００】
（Ｓ３１２）
昇圧コンバータ回路４ａ，４ｂ，４ｃのうち、昇圧動作の停止が許可された昇圧コンバータ回路４の数が複数あるか否かを判定する。
【０２０１】
（Ｓ３１３）
昇圧動作の停止が許可された昇圧コンバータ回路４の数が複数ではない場合（Ｓ３１２，Ｎｏ）、昇圧動作の停止が許可された昇圧コンバータ回路４の動作モードがバイパス動作モードに設定される。なお、昇圧動作の停止が許可された昇圧コンバータ回路４の数が複数ではない場合とは、昇圧動作の停止が許可された昇圧コンバータ回路４の数が単数である場合と、昇圧動作の停止が許可された昇圧コンバータ回路４の数がゼロである場合すなわち全ての昇圧コンバータ回路４における昇圧動作の停止が禁止された場合と、を含む。従って、全ての昇圧コンバータ回路４における昇圧動作の停止が禁止された場合には、全ての昇圧コンバータ回路４の動作モードが昇圧動作モードとなる。または、１つの昇圧コンバータ回路４の昇圧動作の停止が許可された場合、許可された昇圧コンバータ回路４の動作モードがバイパス動作モードとなり、残りの昇圧コンバータ回路４の動作モードは昇圧動作モードとなる。
【０２０２】
（Ｓ３１４）
一方、昇圧動作の停止が許可された昇圧コンバータ回路４の数が複数である場合（Ｓ３１２，Ｙｅｓ）、さらに電力変化率の極性が全て正であるか、負であるかが判定される。
【０２０３】
（Ｓ３１５）
昇圧動作の停止が許可された昇圧コンバータ回路４に接続される太陽電池ストリング１における電力変化率の極性が全て正であるか、又は、負であるかの場合（Ｓ３１４，Ｙｅｓ）、昇圧動作の停止が許可された昇圧コンバータ回路４の動作モードがバイパス動作モードとなる。
【０２０４】
（Ｓ３１６）
また、昇圧動作の停止が許可された昇圧コンバータ回路４に接続される太陽電池ストリング１における電力変化率の極性が全て正ではなく、且つ、全て負ではない場合（Ｓ３１４，Ｎｏ）、電力変化率の極性が正である太陽電池ストリング１に接続されている昇圧コンバータ回路４の動作モードがバイパス動作モードとなる。
【０２０５】
実施の形態２に係る系統連系インバータ装置の動作の更なる理解のため、図８のフローチャートに従い、具体的な数値を用いて説明する。
【０２０６】
なお、Ｓ３０１で測定される電圧値Ｖｓａ，Ｖｓｂ，Ｖｓｃ及び電力値Ｐｓａ，Ｐｓｂ，Ｐｓｃは、以下の値とする。
Ｖｓａ＝３２０［Ｖ］
Ｖｓｂ＝３１９［Ｖ］
Ｖｓｃ＝２８０［Ｖ］
Ｐｓａ＝１０００［Ｗ］
Ｐｓｂ＝９００［Ｗ］
Ｐｓｃ＝８００［Ｗ］
【０２０７】
また、Ｓ３０２で測定される電圧値Ｖｕｗは、以下の値とする。
Ｖｕｗ＝２００［Ｖ］
【０２０８】
また、Ｓ３１１で用いる電力変化率Ｒ_Ｐｓａ，Ｒ_Ｐｓｂ，Ｒ_Ｐｓｃは、以下の値を使用する。
Ｒ_Ｐｓａ＝ΔＰｓａ／ΔＶｓａ＝０．９［Ｗ／Ｖ］
Ｒ_Ｐｓｂ＝ΔＰｓｂ／ΔＶｓｂ＝−１．２［Ｗ／Ｖ］
Ｒ_Ｐｓｃ＝ΔＰｓｃ／ΔＶｓｃ＝０．５［Ｗ／Ｖ］
【０２０９】
（Ｓ３０３）
Ｓ３０２で測定された電圧値Ｖｕｗにより、出力電圧目標値設定器１７において、インバータ回路５の制御目標値ＶiiＳが、以下の通り設定される。
ＶiiＳ＝√２×２００＋３５＝３１７．８［Ｖ］
【０２１０】
（Ｓ３０４）
複数の電圧検出器１３ａ，１３ｂ，１３ｃにより検出された太陽電池ストリング１の出力電圧のうちで一番大きい電圧Ｖｓｍａｘは、電圧値Ｖｓａであり、３２０［Ｖ］になる。
【０２１１】
（Ｓ３０５）〜（Ｓ３０６）
Ｖｓａ（３２０Ｖ）≧ＶiiＳ（３１７．８［Ｖ］）、且つ｜Ｖｓｍａｘ（３２０［Ｖ］）−Ｖｓａ（３２０［Ｖ］）＝０｜≦１［Ｖ］が成立し、昇圧コンバータ回路４ａの昇圧動作の停止は許可される。
【０２１２】
（Ｓ３０７）〜（Ｓ３０８）
Ｖｓｂ（３１９［Ｖ］）≧ＶiiＳ（３１７．８［Ｖ］）、且つ｜Ｖｓｍａｘ（３２０［Ｖ］）−Ｖｓｂ（３１９［Ｖ］）＝１［Ｖ］｜≦１［Ｖ］が成立し、昇圧コンバータ回路４ｂの昇圧動作の停止は許可される。
【０２１３】
（Ｓ３０９）〜（Ｓ３１０）
Ｖｓｃ（２８０［Ｖ］）＜ＶiiＳ（３１７．８［Ｖ］）であり、判定条件を満たさないので、昇圧コンバータ回路４ｃの昇圧動作の停止は禁止される。
【０２１４】
（Ｓ３１１）〜（Ｓ３１６）
昇圧コンバータ回路４ａ，４ｂは昇圧動作の停止が許可されるが、昇圧コンバータ回路４ｃは昇圧動作の停止が禁止される。昇圧コンバータ回路４ａ，４ｂという２つの昇圧コンバータ回路４の昇圧動作の停止が許可されるため、電力変化率Ｒ_Ｐｓａ，Ｒ_Ｐｓｂを確認する。ここで、電力変化率Ｒ_Ｐｓａ（０．９［Ｗ／Ｖ］）≧０、Ｒ_Ｐｓｂ（−１．２［Ｗ／Ｖ］）＜０であるため、昇圧コンバータ回路４ａの動作モードはバイパス動作モードとなり、昇圧コンバータ回路４ｂ，４ｃの動作モードは昇圧動作モードとなる。
【０２１５】
以上説明したように、実施の形態２に係る系統連系インバータ装置３は、制御器１６により、昇圧コンバータ回路４ａ，４ｂ，４ｃの動作モードを決定し、動作モードに応じたゲートパルスを出力する構成である。このような構成により、複数の昇圧コンバータ回路４の動作モードをバイパス動作モードとすることができ、昇圧コンバータ回路４の変換効率を向上させることができる。
【０２１６】
ところで、実施の形態１は、太陽電池ストリング１の最大電力点を用いる手法であるのに対し、実施の形態２は、太陽電池ストリング１の電圧変化に対する電力変化の割合である電力変化率を使用する手法である。最大電力点は、太陽電池ストリング１を構成する太陽電池セルの材質の影響を受けるため、太陽電池セルの材質が異なれば、判定値を変更する必要がある。これに対し、電力変化率の場合には、太陽電池セルの材質の影響を殆ど受けないため、太陽電池セルの材質が異なっても、判定値の変更は不要である。すなわち、実施の形態２の手法を用いれば、太陽電池の材質に依らずに、昇圧コンバータ回路４の動作モードを決定することができる。
【０２１７】
複数の太陽電池ストリングが系統連系インバータに接続される場合、接続枚数が同一であっても、設置環境に起因して電圧差が発生する。このため、従来の系統連系インバータ装置では、複数の昇圧コンバータ回路をバイパス動作モードで動作できず、昇圧コンバータ回路の変換効率が低下するという課題があった。
【０２１８】
これに対し、実施の形態２に係る系統連系インバータ装置３によれば、複数の太陽電池ストリングの設置環境が異なっても、複数の昇圧コンバータ回路をバイパス動作モードで動作させることができるので、昇圧コンバータ回路の変換効率を向上させることができる。
【０２１９】
なお、以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０２２０】
１ａ，１ｂ，１ｃ  太陽電池ストリング、２  商用電力系統、３  系統連系インバータ装置、４ａ，４ｂ，４ｃ  昇圧コンバータ回路、５  インバータ回路、６  出力リレー、７ａ，７ｂ，７ｃ，８  平滑用コンデンサ、９ａ，９ｂ，９ｃ  リアクトル、１０ａ，１０ｂ，１０ｃ  スイッチング素子、１１ａ，１１ｂ，１１ｃ  ダイオード、１２ａ，１２ｂ，１２ｃ  電流検出器、１３ａ，１３ｂ，１３ｃ，１５  電圧検出器、１４ａ，１４ｂ，１４ｃ  電力演算器、１６  制御器、１７  出力電圧目標値設定器、１８ａ，１８ｂ，１８ｃ  ゲートパルス発生器、２０ａ，２０ｂ，２０ｃ，３０  電圧比較器、２１ａ，２１ｂ，２１ｃ  最大電力点判定器、２２Ａ，２２Ｂ  動作モード判定器、２３ａ，２３ｂ，２３ｃ  ゲートパルス指令生成器、３１ａ，３１ｂ，３１ｃ  電力変化検出器、３２ａ，３２ｂ，３２ｃ  電流検出素子、１００  太陽光発電システム、１０１ａ，１０１ｂ，１０１ｃ  正極入力端子、１０２ａ，１０２ｂ，１０２ｃ  負極入力端子、１０３，１０４  系統入出力端子、Ｐ，Ｎ  直流母線。
【図１】
2018087813.tif 000003
【図２】
2018087813.tif 000004
【図３】
2018087813.tif 000005
【図４】
2018087813.tif 000006
【図５】
2018087813.tif 000007
【図６】
2018087813.tif 000008
【図７】
2018087813.tif 000009
【図８】
2018087813.tif 000010
【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
商用電力系統に連系可能に構成される系統連系インバータ装置であって、
複数の太陽電池電源のそれぞれから出力される電力が入力される複数のコンバータ回路と、
複数の前記コンバータ回路のそれぞれから出力される直流電圧を交流電圧へ変換するインバータ回路と、
複数の前記太陽電池電源ごとに前記太陽電池電源の出力電圧である電源電圧を検出する第１の電圧検出器と、
複数の前記太陽電池電源ごとに前記太陽電池電源の出力電流である電源電流を検出する電流検出器と、
前記商用電力系統が前記インバータ回路に印加する系統電圧を検出する第２の電圧検出器と、
前記電源電圧と、前記電源電流と、前記系統電圧とを用いて複数の前記コンバータ回路の昇圧動作の停止を許可するか禁止するかを判定する制御器と、
前記電源電流の検出値と前記電源電圧の検出値とに基づき、前記コンバータ回路に入力される電力値を演算する電力演算器と、
を備え、
前記制御器は、前記電源電圧の検出値と、前記電力演算器が演算した電力値とに基づき、前記太陽電池電源の動作点が最大電力点か否かを判定し、
前記太陽電池電源が最大電力点で動作しているか否かの判定結果に基づいて、昇圧動作の停止が許可された前記コンバータ回路を昇圧動作モードで動作させるか、バイパス動作モードで動作させるかを決定する
ことを特徴とする系統連系インバータ装置。
【請求項２】
全ての前記コンバータ回路における昇圧動作の停止が禁止された場合、
前記制御器は、全ての前記コンバータ回路を昇圧動作モードで動作させる
ことを特徴とする請求項１に記載の系統連系インバータ装置。
【請求項３】
昇圧動作の停止が許可された前記コンバータ回路が単数である場合、
前記制御器は、昇圧動作の停止が許可された前記コンバータ回路をバイパス動作モードで動作させる
ことを特徴とする請求項１に記載の系統連系インバータ装置。
【請求項４】
昇圧動作の停止が許可された前記コンバータ回路が複数あり、昇圧動作の停止が許可された前記コンバータ回路に接続される前記太陽電池電源の全てが最大電力点では動作していない場合、
前記制御器は、前記電源電圧の検出値が一番大きいコンバータ回路をバイパス動作モードで動作させ、他のコンバータ回路を昇圧動作モードで動作させる
ことを特徴とする請求項１に記載の系統連系インバータ装置。
【請求項５】
昇圧動作の停止が許可された前記コンバータ回路が複数あり、昇圧動作の停止が許可された前記コンバータ回路に接続される前記太陽電池電源のうちの少なくとも１つが最大電力点で動作している場合、
前記制御器は、最大電力点で動作している前記コンバータ回路をバイパス動作モードで動作させる
ことを特徴とする請求項１に記載の系統連系インバータ装置。
【請求項６】
商用電力系統に連系可能に構成される系統連系インバータ装置であって、
複数の太陽電池電源のそれぞれから出力される電力が入力される複数のコンバータ回路と、
複数の前記コンバータ回路のそれぞれから出力される直流電圧を交流電圧へ変換するインバータ回路と、
複数の前記太陽電池電源ごとに前記太陽電池電源の出力電圧である電源電圧を検出する第１の電圧検出器と、
複数の前記太陽電池電源ごとに前記太陽電池電源の出力電流である電源電流を検出する電流検出器と、
前記商用電力系統が前記インバータ回路に印加する系統電圧を検出する第２の電圧検出器と、
前記電源電圧と、前記電源電流と、前記系統電圧とを用いて複数の前記コンバータ回路の昇圧動作の停止を許可するか禁止するかを判定する制御器と、
前記電源電流の検出値と前記電源電圧の検出値とに基づき、前記コンバータ回路に入力される電力値を演算する電力演算器を備え、
前記制御器は、前記電源電圧の検出値と、前記電力演算器が演算した電力値とに基づき、前記太陽電池電源の動作点における電力変化率を演算し、
前記電力変化率の極性に基づいて、昇圧動作の停止が許可された前記コンバータ回路を昇圧動作モードで動作させるか、バイパス動作モードで動作させるかを決定する
ことを特徴とする系統連系インバータ装置。
【請求項７】
全ての前記コンバータ回路における昇圧動作の停止が禁止された場合、
前記制御器は、全ての前記コンバータ回路を昇圧動作モードで動作させる
ことを特徴とする請求項６に記載の系統連系インバータ装置。
【請求項８】
昇圧動作の停止が許可された前記コンバータ回路が単数である場合、
前記制御器は、昇圧動作の停止が許可された前記コンバータ回路をバイパス動作モードで動作させる
ことを特徴とする請求項６に記載の系統連系インバータ装置。
【請求項９】
昇圧動作の停止が許可された前記コンバータ回路が複数あり、昇圧動作の停止が許可された前記コンバータ回路に接続される前記太陽電池電源の動作点における前記電力変化率の極性が全て同極性である場合、
前記制御器は、昇圧動作の停止が許可された前記コンバータ回路をバイパス動作モードで動作させる
ことを特徴とする請求項６に記載の系統連系インバータ装置。
【請求項１０】
昇圧動作の停止が許可された前記コンバータ回路が複数あり、昇圧動作の停止が許可された前記コンバータ回路に接続される前記太陽電池電源の動作点における前記電力変化率の極性に異極性が含まれる場合、
前記制御器は、前記電力変化率が負であるコンバータ回路をバイパス動作モードで動作させ、前記電力変化率が正であるコンバータ回路を昇圧動作モードで動作させる
ことを特徴とする請求項６に記載の系統連系インバータ装置。
【請求項１１】
前記コンバータ回路は、昇圧コンバータ回路、又は昇降圧コンバータ回路である
ことを特徴とする請求項１から１０の何れか１項に記載の系統連系インバータ装置。
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
商用電力系統に連系可能に構成される系統連系インバータ装置であって、
複数の太陽電池電源のそれぞれから出力される電力が入力される複数のコンバータ回路と、
複数の前記コンバータ回路のそれぞれから出力される直流電圧を交流電圧へ変換するインバータ回路と、
複数の前記太陽電池電源ごとに前記太陽電池電源の出力電圧である電源電圧を検出する第１の電圧検出器と、
複数の前記太陽電池電源ごとに前記太陽電池電源の出力電流である電源電流を検出する電流検出器と、
前記商用電力系統が前記インバータ回路に印加する系統電圧を検出する第２の電圧検出器と、
前記電源電圧と、前記電源電流と、前記系統電圧とを用いて複数の前記コンバータ回路の昇圧動作の停止を許可するか禁止するかを判定する制御器と、
前記電源電流の検出値と前記電源電圧の検出値とに基づき、前記コンバータ回路に入力される電力値を演算する電力演算器と、
を備え、
前記制御器は、前記電源電圧の検出値と、前記電力演算器が演算した電力値とに基づき、前記太陽電池電源の動作点が最大電力点か否かを判定し、
前記太陽電池電源が最大電力点で動作しているか否かの判定結果に基づいて、昇圧動作の停止が許可された前記コンバータ回路を昇圧動作モードで動作させるか、バイパス動作モードで動作させるかを決定する
ことを特徴とする系統連系インバータ装置。
【請求項２】
全ての前記コンバータ回路における昇圧動作の停止が禁止された場合、
前記制御器は、全ての前記コンバータ回路を昇圧動作モードで動作させる
ことを特徴とする請求項１に記載の系統連系インバータ装置。
【請求項３】
昇圧動作の停止が許可された前記コンバータ回路が単数である場合、
前記制御器は、昇圧動作の停止が許可された前記コンバータ回路をバイパス動作モードで動作させる
ことを特徴とする請求項１に記載の系統連系インバータ装置。
【請求項４】
昇圧動作の停止が許可された前記コンバータ回路が複数あり、昇圧動作の停止が許可された前記コンバータ回路に接続される前記太陽電池電源の全てが最大電力点では動作していない場合、
前記制御器は、前記電源電圧の検出値が一番大きいコンバータ回路をバイパス動作モードで動作させ、他のコンバータ回路を昇圧動作モードで動作させる
ことを特徴とする請求項１に記載の系統連系インバータ装置。
【請求項５】
昇圧動作の停止が許可された前記コンバータ回路が複数あり、昇圧動作の停止が許可された前記コンバータ回路に接続される前記太陽電池電源のうちの少なくとも１つが最大電力点で動作している場合、
前記制御器は、最大電力点で動作している前記コンバータ回路をバイパス動作モードで動作させる
ことを特徴とする請求項１に記載の系統連系インバータ装置。
【請求項６】
商用電力系統に連系可能に構成される系統連系インバータ装置であって、
複数の太陽電池電源のそれぞれから出力される電力が入力される複数のコンバータ回路と、
複数の前記コンバータ回路のそれぞれから出力される直流電圧を交流電圧へ変換するインバータ回路と、
複数の前記太陽電池電源ごとに前記太陽電池電源の出力電圧である電源電圧を検出する第１の電圧検出器と、
複数の前記太陽電池電源ごとに前記太陽電池電源の出力電流である電源電流を検出する電流検出器と、
前記商用電力系統が前記インバータ回路に印加する系統電圧を検出する第２の電圧検出器と、
前記電源電圧と、前記電源電流と、前記系統電圧とを用いて複数の前記コンバータ回路の昇圧動作の停止を許可するか禁止するかを判定する制御器と、
前記電源電流の検出値と前記電源電圧の検出値とに基づき、前記コンバータ回路に入力される電力値を演算する電力演算器を備え、
前記制御器は、前記電源電圧の検出値と、前記電力演算器が演算した電力値とに基づき、前記太陽電池電源の動作点における電力変化率を演算し、
前記電力変化率の極性に基づいて、昇圧動作の停止が許可された前記コンバータ回路を昇圧動作モードで動作させるか、バイパス動作モードで動作させるかを決定する
ことを特徴とする系統連系インバータ装置。
【請求項７】
全ての前記コンバータ回路における昇圧動作の停止が禁止された場合、
前記制御器は、全ての前記コンバータ回路を昇圧動作モードで動作させる
ことを特徴とする請求項６に記載の系統連系インバータ装置。
【請求項８】
昇圧動作の停止が許可された前記コンバータ回路が単数である場合、
前記制御器は、昇圧動作の停止が許可された前記コンバータ回路をバイパス動作モードで動作させる
ことを特徴とする請求項６に記載の系統連系インバータ装置。
【請求項９】
昇圧動作の停止が許可された前記コンバータ回路が複数あり、昇圧動作の停止が許可された前記コンバータ回路に接続される前記太陽電池電源の動作点における前記電力変化率の極性が全て同極性である場合、
前記制御器は、昇圧動作の停止が許可された前記コンバータ回路をバイパス動作モードで動作させる
ことを特徴とする請求項６に記載の系統連系インバータ装置。
【請求項１０】
昇圧動作の停止が許可された前記コンバータ回路が複数あり、昇圧動作の停止が許可された前記コンバータ回路に接続される前記太陽電池電源の動作点における前記電力変化率の極性に異極性が含まれる場合、
前記制御器は、前記電力変化率が正であるコンバータ回路をバイパス動作モードで動作させ、前記電力変化率が負であるコンバータ回路を昇圧動作モードで動作させる
ことを特徴とする請求項６に記載の系統連系インバータ装置。
【請求項１１】
前記コンバータ回路は、昇圧コンバータ回路、又は昇降圧コンバータ回路である
ことを特徴とする請求項１から１０の何れか１項に記載の系統連系インバータ装置。
【国際調査報告】
2018087813.tif 000011
2018087813.tif 000012